(57)【要約】  第１通信装置２は、無線フレームを形成し且つ時分割複信のいずれかの送信方向にそれぞれ割り当てられる複数のサブフレームのうち、第１通信装置２への信号が第２通信装置３から第１搬送波で送信されるサブフレームを、第１通信装置２から第２通信装置３へ第２搬送波でデータを送信するサブフレームとして選択する選択部１０と、選択部１０により選択されたサブフレームの指定情報を第１搬送波で送信される制御信号に結合符号化して得られる符号を生成する結合符号化部１１と、結合符号化部１１により生成された符号を第１搬送波で第２通信装置３へ送信する符号送信部（１２、１７、１８）と、を備える。
2014024304.tif 000002
【特許請求の範囲】
【請求項１】
通信装置であって、
無線フレームを形成し且つ時分割複信のいずれかの送信方向にそれぞれ割り当てられる複数のサブフレームのうち、前記通信装置としての第１通信装置への信号が第２通信装置から第１搬送波で送信されるサブフレームを、第１通信装置から第２通信装置へ第２搬送波でデータを送信するサブフレームとして選択する選択部と、
前記選択部により選択されたサブフレームの指定情報を第１搬送波で送信される制御信号に結合符号化して得られる符号を生成する結合符号化部と、
前記結合符号化部により生成された前記符号を第１搬送波で第２通信装置へ送信する符号送信部と、
を備えることを特徴とする通信装置。
【請求項２】
前記データを送信するサブフレームより前に第１通信装置から第２通信装置への送信に割り当てられるサブフレームのうち、前記データを送信するサブフレームにより近いサブフレームを優先して、前記符号を送信するサブフレームとして選択する第２選択部を備えることを特徴とする請求項１に記載の通信装置。
【請求項３】
前記複数のサブフレームのそれぞれがいずれかの送信方向に割り当てられているかに基づいて、データが送信されるサブフレームを前記符号に割り当てる割当情報を生成する割当情報生成部を備えることを特徴とする請求項１又は２に記載の通信装置。
【請求項４】
前記結合符号化部は、前記割当情報に基づいて前記制御信号に前記指定情報を結合符号化することを特徴とする請求項３に記載の通信装置。
【請求項５】
前記割当情報を第２通信装置に送信する割当情報送信部を備えることを特徴とする請求項３又は４に記載の通信装置。
【請求項６】
前記指定情報と結合符号化される前記制御情報は、第１通信装置から第２通信装置へデータが送信される搬送波の指定情報であり、
前記選択部は、複数のサブフレームに対する送信方向の割り当てが第１搬送波と等しいいずれかの搬送波を、データを送信する搬送波として選択し、
前記結合符号化部は、前記いずれかの搬送波でデータを送信する場合にデータの送信サブフレームにより変化しない符号を生成することを特徴とする請求項１〜５のいずれか一項に記載の通信装置。
【請求項７】
第２選択部は、
前記データを送信するサブフレームより前に第１通信装置から第２通信装置への送信に割り当てられるサブフレームのうち、前記データを送信するサブフレームに最も近い第１サブフレームと、
第１サブフレームより前に第１通信装置から第２通信装置への送信に割り当てられるサブフレームのうち第１サブフレームに最も近い第２サブフレームと、
を前記符号を送信するサブフレームとして選択することを特徴とする請求項２に記載の通信装置。
【請求項８】
通信装置であって、
無線フレームを形成し且つ時分割複信のいずれかの送信方向にそれぞれ割り当てられる複数のサブフレームのうち第１通信装置から前記通信装置としての第２通信装置への信号が第１搬送波で送信されるサブフレームにおいて、第２通信装置から第１通信装置への信号が第１搬送波で送信されるいずれかのサブフレームの指定情報と制御情報とを結合符号化して得られる符号を受信する符号受信部と、
前記指定情報で指定されたサブフレームで第１通信装置から第２搬送波で送信されたデータを受信するデータ受信部と、
を備えることを特徴とする通信装置。
【請求項９】
データが送信されるサブフレームを前記符号に割り当てる割当情報を第１通信装置から受信する割当情報受信部を備えることを特徴とする請求項８に記載の通信装置。
【請求項１０】
前記指定情報と結合符号化される前記制御情報は、第１通信装置から第２通信装置へデータが送信される搬送波の指定情報であることを特徴とする請求項１〜５及び７〜９のいずれか一項に記載の通信装置。
【請求項１１】
前記指定情報と結合符号化される前記制御情報は、第１通信装置から第２通信装置へ送信されるデータの自動再送要求プロセスの識別子であることを特徴とする請求項１〜５及び７〜９のいずれか一項に記載の通信装置。
【請求項１２】
第１通信装置と第２通信装置とを含む通信システムであって、
第１通信装置は、
無線フレームを形成し且つ時分割複信のいずれかの送信方向にそれぞれ割り当てられる複数のサブフレームのうち、第２通信装置から第１通信装置への信号が第１搬送波で送信されるサブフレームを、第１通信装置から第２通信装置へ第２搬送波でデータを送信するサブフレームとして選択する選択部と、
前記選択部により選択されたサブフレームの指定情報を第１搬送波で送信される制御信号に結合符号化して得られる符号を生成する結合符号化部と、
前記結合符号化部により生成された前記符号を第１搬送波で第２通信装置へ送信する符号送信部と、
を備えることを特徴とする通信システム。
【請求項１３】
無線フレームを形成し且つ時分割複信のいずれかの送信方向にそれぞれ割り当てられる複数のサブフレームのうち、第１通信装置への信号が第２通信装置から第１搬送波で送信されるサブフレームを、第１通信装置から第２通信装置へ第２搬送波でデータを送信するサブフレームとして選択し、
選択された前記サブフレームの指定情報を第１搬送波で送信される制御信号に結合符号化して得られる符号を生成し、
前記符号を第１搬送波で第２通信装置へ送信する、
ことを特徴とする通信方法。
【発明の詳細な説明】
【技術分野】
【０００１】
本明細書で論じられる実施態様は、基地局装置、移動局装置、通信システム及び通信方法に関する。
【背景技術】
【０００２】
移動体通信において１つの移動局装置が複数のキャリアを並列に送受信する技術が知られている。このような技術の一例にはキャリアアグリゲーションがある。また、TDD(: Time Division Duplex)方式において、無線フレームを分割したサブフレーム毎にアップリンク（UL:Uplink）とダウンリンク(DL:Downlink)が割り当てられる技術が知られている。このような割り当て方式の一例には、3GPP(3rd Generation Partnership Project) TS(Technical Specification) 36.211に定められるUL-DL構成 (Uplink-downlink configuration)がある。【０００３】
関連する技術として、端末により実行される無線通信システムにおけるHARQ(Hybrid Automatic Repeat reQuest)を実行する方法が知られている。この方法では、第１のサブフレームでダウンリンク割当を受信し、ダウンリンク割り当ては、論理的にインデックスが付けられたリソース単位であるCCE(Control Channel Element)に基づいて送信される。第１のサブフレームでダウンリンク共有チャネル上にダウンリンクデータを受信し、ダウンリンク共有チャネルは、ダウンリンク割り当てによって割り当てられる。ダウンリンクデータの成功的または非成功的受信を示すACK/NACK信号が生成される。第２のサブフレームのアップリンクリソースを利用してACK/NACK信号または代表ACK/NACK信号を送信する。【０００４】
関連する技術として、無線通信システムにおける端末により実行されるデータ受信方法が知られている。この方法は、基地局から第１のダウンリンクコンポーネント搬送波を介して物理ダウンリンク制御チャネル(Physical Downlink Control CHannel: PDCCH)上にダウンリンクスケジューリング情報を受信する段階を含む。この方法は、ダウンリンクスケジューリング情報に基づいて基地局から第２のダウンリンクコンポーネント搬送波を介してデータを受信する段階を含む。PDCCH及びPDSCH(Physical Downlink Shared CHannel)は、同一サブフレームに送信される。【０００５】
関連する技術として、基地局装置において、CIF(Carrier Indicator Field)でPDSCHが割り当てられるCC(Component Carrier)及び／又はサブフレームを通知する方法が知られている。
【先行技術文献】
【特許文献】
【０００６】
【特許文献１】特表２０１１−５１７１６８号公報
【特許文献２】特表２０１１−５２９６６１号公報
【特許文献３】特開２０１２−５０７４号公報
【非特許文献】
【０００７】
【非特許文献１】3GPP TS 36.211 V10.5.0
【非特許文献２】3GPP TS 36.212 V10.6.0
【非特許文献３】3GPP TS 36.213 V10.6.0
【発明の概要】
【発明が解決しようとする課題】
【０００８】
移動局装置が並列に送受信する複数キャリアの間でダウンリンクに割り当てられたサブフレームが異なる場合、一方のキャリアでアップリンクに割り当てられたサブフレームが、他方のキャリアではダウンリンクに割り当てられる場合が発生しうる。この場合には、一方のキャリアで他方のデータに対するダウンリンクスケジューリング情報を送ろうとした場合、データが送信されるサブフレームと同じサブフレームでこのデータの無線リソース割当情報を送信することができない。【０００９】
データが送信されるサブフレームの指定情報をダウンリンク制御情報に加えると、ダウンリンク制御情報の増加を招く。本明細書に開示される装置又は方法は、移動局装置が並列に送受信する複数のキャリアの間でダウンリンクに割り当てられたサブフレームが異なる場合に生じるダウンリンク制御情報の増加の軽減を目的とする。
【課題を解決するための手段】
【００１０】
装置の一観点によれば第１通信装置が与えられる。第１通信装置は、無線フレームを形成し且つ時分割複信のいずれかの送信方向にそれぞれ割り当てられる複数のサブフレームのうち、第１通信装置への信号が第２通信装置から第１搬送波で送信されるサブフレームを、第１通信装置から第２通信装置へ第２搬送波でデータを送信するサブフレームとして選択する選択部を備える。第１通信装置は、選択部により選択されたサブフレームの指定情報を第１搬送波で送信される制御信号に結合符号化（ジョイントコーディング）あるいは選択部により選択されたサブフレームの指定情報と第１搬送波で送信される制御信号の組み合わせをビット列に割り当てして得られる符号を生成する結合符号化部と、結合符号化部により生成された前記符号を第１搬送波で第２通信装置へ送信する符号送信部を備える。【００１１】
他の装置の一観点によれば第２通信装置が与えられる。通信装置は、無線フレームを形成し且つ時分割複信のいずれかの送信方向にそれぞれ割り当てられる複数のサブフレームのうち第１通信装置から第２通信装置への信号が第１搬送波で送信されるサブフレームにおいて、第２通信装置から第１通信装置への信号が第１搬送波で送信されるいずれかのサブフレームの指定情報と制御情報とを結合符号化（ジョイントコーディング）あるいはサブフレームの指定情報と第１搬送波で送信される制御信号の組み合わせをビット列に割り当てして得られる符号を受信する符号受信部を備える。第２通信装置は、指定情報で指定されたサブフレームで第１通信装置から第２搬送波で送信されたデータを受信するデータ受信部を備える。【００１２】
方法の一観点によれば通信方法が与えられる。通信装置は、無線フレームを形成し且つ時分割複信のいずれかの送信方向にそれぞれ割り当てられる複数のサブフレームのうち、第１通信装置への信号が第２通信装置から第１搬送波で送信されるサブフレームを、第１通信装置から第２通信装置へ第２搬送波でデータを送信するサブフレームとして選択することを含む。通信方法は、選択されたサブフレームの指定情報を第１搬送波で送信される制御信号に結合符号化（ジョイントコーディング）あるいは選択されたサブフレームの指定情報と第１搬送波で送信される制御信号の組み合わせをビット列に割り当てして得られる符号を生成し、符号を第１搬送波で第２通信装置へ送信することを含む。
【発明の効果】
【００１３】
本明細書に開示される装置又は方法によれば、移動局装置が並列に送受信する複数のキャリアの間でダウンリンクに割り当てられたサブフレームが異なる場合に生じるダウンリンク制御情報の増加が軽減される。【００１４】
本発明の目的及び利点は、特許請求の範囲に示した要素及びその組合せを用いて具現化され達成される。前述の一般的な記述及び以下の詳細な記述の両方は、単なる例示及び説明であり、特許請求の範囲のように本発明を限定するものでないと解するべきである。
【図面の簡単な説明】
【００１５】
【図１】通信システムの構成例の説明図である。
【図２】UL-DL構成の説明図である。
【図３】スケジューリングセル及びスケジュールドセルのUL-DL構成の一例の説明図である。
【図４】基地局装置の一例の機能構成図である。
【図５】（Ａ）及び（Ｂ）は割当情報の一例の説明図である。
【図６】スケジューリングセル及びスケジュールドセルのUL-DL構成の一例の説明図である。
【図７】移動局装置の一例の機能構成図である。
【図８】基地局装置の動作の一例の説明図である。
【図９】移動局装置の動作の一例の説明図である。
【図１０】スケジューリングセル及びスケジュールドセルのUL-DL構成の一例の説明図である。
【図１１】割当情報の一例の説明図である。
【図１２】サブフレームの選択例の説明図である。
【図１３】割当情報の一例の説明図である。
【図１４】割当情報の一例の説明図である。
【図１５】割当情報の一例の説明図である。
【図１６】スケジューリングセル及びスケジュールドセルのUL-DL構成の一例の説明図である。
【図１７】割当情報の一例の説明図である。
【図１８】割当情報の一例の説明図である。
【図１９】第２実施例にて割当情報の設定が検討されるUL-DL構成の組合せを示す表である。
【図２０】スケジューリングセル及びスケジュールドセルのUL-DL構成の一例の説明図である。
【図２１】割当情報の一例の説明図である。
【図２２】スケジューリングセル及びスケジュールドセルのUL-DL構成の一例の説明図である。
【図２３】割当情報の一例の説明図である。
【図２４】（Ａ）及び（Ｂ）はスケジューリングセル及びスケジュールドセルのUL-DL構成の一例の説明図である。
【図２５】スケジューリングセル及びスケジュールドセルのUL-DL構成の一例の説明図である。
【図２６】割当情報の一例の説明図である。
【図２７】（Ａ）及び（Ｂ）はスケジューリングセル及びスケジュールドセルのUL-DL構成の一例の説明図である。
【図２８】（Ａ）及び（Ｂ）はスケジューリングセル及びスケジュールドセルのUL-DL構成の一例の説明図である。
【図２９】（Ａ）及び（Ｂ）はスケジューリングセル及びスケジュールドセルのUL-DL構成の一例の説明図である。
【図３０】（Ａ）及び（Ｂ）はスケジューリングセル及びスケジュールドセルのUL-DL構成の一例の説明図である。
【図３１】スケジューリングセル及びスケジュールドセルのUL-DL構成の一例の説明図である。
【図３２】HARQプロセス数の最大数の説明図である。
【図３３】割当情報の一例の説明図である。
【図３４】割当情報の一例の説明図である。
【図３５】割当情報の一例の説明図である。
【図３６】割当情報の一例の説明図である。
【図３７】割当情報の一例の説明図である。
【図３８】割当情報の一例の説明図である。
【図３９】基地局装置のハードウエア構成の一例の説明図である。
【図４０】移動局装置のハードウエア構成の一例の説明図である。
【発明を実施するための形態】
【００１６】
＜１．第１実施例＞
＜１．１．通信システムの構成例＞
以下、添付される図面を参照して、好ましい実施例について説明する。図１は、通信システムの構成例の説明図である。通信システム１は、第１通信装置２と第２通信装置３を備える。第１通信装置２の一例は基地局装置である。また第２通信装置３の一例は移動局装置である。以下の説明では、第１通信装置２と第２通信装置３が、3GPPにおいて規格化が進められているLTE(Long Term Evolution)-Advancedに準拠する基地局装置及び移動局装置である場合の例示を使用する。但しこの例示は、本明細書に記載される通信装置が、LTE-Advancedに準拠する通信システムのみに限定して適用されることを意図するものではない。本明細書に記載される通信装置は、１つの通信装置が複数のキャリアを並列に送受信し、ダウンリンクデータを送信するキャリア又は自動再送要求におけるプロセスを指定するプロセス番号が制御情報として送信される通信システムに広く適用可能である。
【００１７】
基地局装置２は、移動局装置３と無線接続して無線通信を行う無線通信装置である。また、基地局装置２は、１又は複数のセル範囲内において移動局装置３に対して音声通信や映像配信など種々のサービスを提供できる。以下の説明及び添付する図面において、基地局装置及び移動局装置をそれぞれ「基地局」及び「移動局」と表記することがある。
【００１８】
移動局３は、基地局２と無線接続して無線通信を行う無線通信装置である。移動局３は、例えば携帯電話機や情報携帯端末装置などであってよい。移動局３は、基地局２からデータ信号などを受信し、基地局２へデータ信号などを送信することができる。本明細書において、基地局２から移動局３への通信リンクはダウンリンク(DL: Down Link)と表記し、移動局３から基地局２への通信リンクはアップリンク(UL: Up Link)と表記することがある。
【００１９】
通信システム１では、基地局２と移動局３は、複数のセルをそれぞれ構成する複数のコンポーネントキャリアを用いて複数の物理チャネルで信号を同時かつ並列に送受信できる。移動局３へPDCCH信号が送信されるセルを「スケジューリングセル」と表記する。また、移動局３へPDSCH信号が送信されるセルを「スケジュールドセル」と表記する。また、コンポーネントキャリアを「CC」と表記する。CCはいずれかの周波数バンドに属しており、アップリンク及びダウンリンクへのサブフレームの割り当ては周波数バンド毎あるいはCC毎にUL-DL構成によって定められている。
【００２０】
図２は、UL-DL構成の説明図である。図２において「Ｄ」はダウンリンクに割り当てられたサブフレームを示し、「Ｕ」はアップリンクに割り当てられたサブフレームを示し、「Ｓ」はスペシャルサブフレームを示す。スペシャルサブフレームは、フレーム同期やダウンリンク送信やアップリンク送信に使用される。例えば、UL-DL構成が「０」であるバンドのセルでは、サブフレーム０及び５がダウンリンクに割り当てられ、サブフレーム２〜４及び７〜９がアップリンクに割り当てられ、スペシャルサブフレームはサブフレーム１及び６である。
【００２１】
スケジューリングセルとスケジュールドセルが異なる周波数バンドに属する場合、これらのセルのUL-DL構成が異なる状況が発生しうる。図３は、スケジューリングセル及びスケジュールドセルのUL-DL構成の一例の説明図である。参照符号６０及び６１は、それぞれスケジューリングセル及びスケジュールドセルのUL-DL構成を示す。図６、図１０、図２０、図２４の（Ａ）、図２４の（Ｂ）、図２５、図２７の（Ａ）、図２７の（Ｂ）、図２８の（Ａ）、図２８の（Ｂ）、図２９の（Ａ）、図２９の（Ｂ）、図３０の（Ａ）、図３０の（Ｂ）及び図３１の参照符号の用法も同様である。
【００２２】
図３は、スケジューリングセルとスケジュールドセルのUL-DL構成がそれぞれ１及び２である場合を示す。この場合には、スケジュールドセルではダウンリンクに割り当てられたサブフレーム３及び８に対して、スケジューリングセルではアップリンクが割り当てられる。したがってサブフレーム３及び８ではPDCCH信号とPDSCH信号が同一フレームで送信されない。
【００２３】
このため、基地局２は、スケジューリングセルでアップリンクが割り当てられたサブフレームで送信するPDSCH信号の無線リソース割当を指定するPDCCH信号を、スケジューリングセルでダウンリンクが割り当てられたサブフレームで送信する。なお、以下の説明及び添付図面において無線リソース割当情報を送信することを「スケジューリングする」と表記することがある。
【００２４】
図３の例では、基地局２は、サブフレーム３で送信するPDSCH信号をスケジューリングするためのPDCCH信号を、スケジューリングセルでPDCCH信号が送信できるサブフレーム１で送信する。このようにPDCCH信号が送信されるサブフレームと異なるサブフレームでPDSCH信号を送信することを「クロスサブフレームスケジューリング」と表記する。
【００２５】
また、基地局２は、スケジューリングセルでアップリンクが割り当てられたサブフレームで送信するPDSCH信号を、他のサブフレームのPDSCH信号と合わせて１つのPDCCH信号でスケジューリングすることもできる。図３の例では、基地局２は、サブフレーム３で送信するPDSCH信号をサブフレーム１のPDSCH信号と合わせて、サブフレーム１で送信されるPDCCH信号でスケジューリングしてもよい。このように１つのPDCCH信号で、PDSCH信号が送信されるサブフレームを複数個に指定することを「マルチサブフレームスケジューリング」と表記する。なお以下の説明においてクロスサブフレームスケジューリング及びマルチサブフレームスケジューリングを総称して「クロスサブフレームスケジューリング等」と表記することがある。
【００２６】
基地局２は、クロスサブフレームスケジューリング等を行う場合に、PDSCH信号を送信するサブフレームを指定する情報を、PDCCHで送信される他のダウンリンク制御情報（Downlink Control Information： DCI）と合わせて結合符号化（ジョイントコーディング）あるいはPDSCH信号を送信するサブフレームを指定する情報とPDCCHで送信される他のダウンリンク制御情報の組み合わせをビット列に割り当てする。なお、以下の説明及び添付する図面においてPDSCH信号を送信するサブフレームを指定する情報を「サブフレーム情報」と表記することがある。
【００２７】
＜１．２．機能構成＞
図４は、基地局２の一例の機能構成図である。基地局２は、スケジューラ１０と、L1（Layer 1）/L2(Layer 2)制御情報生成部１１と、制御チャネル生成部１２と、MAC（Media Access Control）制御信号生成部１３を備える。基地局２は、RRC（Radio Resource Control）制御情報生成部１４と、ユーザデータ生成部１５と、共有チャネル生成部１６と、多重部１７と、無線処理部１８を備える。基地局２は、無線処理部２０と、分離部２１と、上りデータ処理部２２と、割当情報生成部３０を備える。
【００２８】
スケジューラ１０は、移動局３が使用するセルの周波数バンドあるいはCCのUL-DL構成に従って、移動局３のダウンリンク通信や上りリンク通信に対する無線リソースの割り当てを行う。無線リソースは、例えば通信に使用される周波数やタイムスロットである。
【００２９】
L1/L2制御情報生成部１１は、物理レイヤ及びMACレイヤ間の制御のためのL1/L2制御情報を生成する。L1/L2制御情報の一例はダウンリンク制御情報である。ダウンリンク制御情報には複数のフォーマットが用いられる。ダウンリンク制御情報のフォーマットをDCIフォーマット（DCI format）と呼ぶ。
【００３０】
例えば、移動局３が使用するCCを指定するCIFの送信にはDCIフォーマット０、１、１Ａ、１Ｂ、１Ｄ、２、２Ａ、２Ｂ、２Ｃ及び４が使用される。また、HARQにおけるプロセスを指定するHARQプロセス番号の送信にはDCIフォーマット１、１Ａ、１Ｂ、１Ｄ、２、２Ａ、２Ｂ及び２Ｃが使用される。制御チャネル生成部１２は、L1/L2制御情報生成部１１により生成されたL1/L2制御情報を符号化及び変調することによりPDCCH信号を生成し、多重部１７へ出力する。
【００３１】
MAC制御信号生成部１３は、MAC-CE（Medium Access Control -Control Element）制御情報を生成して共有チャネル生成部１６に出力する。RRC制御情報生成部１４は、RRC制御情報を生成して共有チャネル生成部１６に出力する。ユーザデータ生成部１５は、ユーザデータを生成して共有チャネル生成部１６に出力する。共有チャネル生成部１６は、MAC-CE制御情報、RRC制御情報及びユーザデータのうち少なくともいずれかを含んだデータブロックであるトランスポートブロックを符号化及び変調することによりPDSCH信号を生成し多重部１７へ出力する。
【００３２】
多重部１７は、制御チャネル生成部１２及び共有チャネル生成部１６の出力を多重化し、多重化した多重化情報に対して逆高速フーリエ変換処理を行い時間領域の多重化信号に変換し、時間領域の多重化信号を無線処理部１８に出力する。無線処理部１８は、ベースバンド帯域の多重化信号を無線帯域の無線信号に変換して移動局３へ送信する。
【００３３】
無線処理部２０は、移動局３から送信された無線信号を受信する。無線処理部２０は、受信した無線帯域の無線信号をベースバンド帯域の受信信号に変換する。分離部２１は、受信信号から、データ信号、上り制御情報及び参照信号などを分離する。分離部２１は、受信信号から分離したデータ信号を上りデータ処理部２２に出力する。上りデータ処理部２２は、データ信号を復調及び復号することでユーザデータを抽出する。ユーザデータは、上位制御装置への送信など、他の処理部に出力される。
【００３４】
割当情報生成部３０は、サブフレーム情報とダウンリンク制御情報の結合符号化に使用するための割当情報を生成する。割当情報は、ダウンリンク制御情報の各値に対して、PDSCH信号が送信されるサブフレーム番号の割り当てを指定する。
【００３５】
ここでダウンリンク制御情報の一つである３ビットのCIFはPDSCHが送信されるCCを指定するために使用されるが、３ビットのビットパターンが全て使い切られていない。このため、本実施例の基地局２は、CIFによって指定されるコンポーネントキャリアの情報とサブフレーム情報とを結合符号化する。以下の説明においてCIFによって指定されるコンポーネントキャリアの情報を「CI」と表記する。
【００３６】
図５の（Ａ）及び図５の（Ｂ）は、割当情報の一例の説明図である。この割当情報は、スケジューリングセルのUL-DL構成が「０」であり、スケジュールドセルのUL-DL構成が「２」の場合に使用される。図６は、スケジューリングセル及びスケジュールドセルのUL-DL構成の説明図である。以下、別段の説明がない限り、スケジューリングセルがプライマリセルであり、スケジュールドセルがセカンダリセルである。なお、他の実施例ではスケジューリングセルがセカンダリセルであり、スケジュールドセルがプライマリセルであってもよい。また、本実施例および以降の実施例において、スケジューリングセルは同時にスケジュールドセルでありうる。以下の説明及び添付図面においてプライマリセル及びセカンダリセルをそれぞれ「Ｐセル」及び「Ｓセル」と表記する。
【００３７】
サブフレーム０及び５では、Ｐセル及びＳセルの両方がダウンリンクに割り当てられるため、サブフレーム０及び５で送信されるPDSCH信号については、クロスサブフレームスケジューリングやマルチサブフレームスケジューリングは不要である。Ｐセルにおいてサブフレーム３、４、８及び９がアップリンクに割り当てられ、Ｓセルにおいてサブフレーム３、４、８及び９がダウンリンクに割り当てられる。Ｓセルのサブフレーム３及び／又は４で送信されるPDSCH信号をスケジューリングするPDCCH信号はスペシャルサブフレーム１で送信される。また、Ｓセルのサブフレーム８及び／又は９で送信されるPDSCH信号をスケジューリングするPDCCH信号はスペシャルサブフレーム６で送信される。
【００３８】
このように、Ｐセルでダウンリンク送信ができるサブフレームのうち、サブフレーム３や４以前の且つサブフレーム３や４により近いサブフレーム１を優先して、サブフレーム３や４のPDSCH信号をスケジューリングするPDCCH信号の送信に使用してよい。同様に、Ｐセルでダウンリンクに割り当てられたサブフレームのうち、サブフレーム８や９以前の且つサブフレーム８や９により近いサブフレーム６を優先して、サブフレーム８や９のPDSCH信号をスケジューリングするPDCCH信号の送信に使用してよい。このように、PDSCH信号を送信するサブフレームにより近いサブフレームを優先して、PDSCH信号をスケジューリングするPDCCH信号の送信に使用することにより、PDSCH信号の送信タイミングを早め、信号遅延を低減することができる。また、PDSCH信号を送信するサブフレームにより近いサブフレームでPDCCH信号を送信するようにすることにより、より新しい伝搬路などの状況を反映したスケジューリングが可能になる。
【００３９】
図５の（Ａ）は、PDSCH信号の送信サブフレームをＰセルのサブフレーム１で送信されるCIFで指定するための割当情報を示す。３ビットのCIF「０００」はPDSCH信号がＰセルのサブフレーム１で送信されることを示し、CIF「１００」は、PDSCH信号がＳセルのサブフレーム１で送信されることを示す。CIF「０１０」及び「００１」は、PDSCH信号がＳセルのサブフレーム３及び４でそれぞれ送信されることを示す。CIFの値が「０１０」及び「００１」である場合、クロスサブフレームスケジューリングが行われる。
【００４０】
また、CIFが「１１０」である場合には、PDSCH信号がＳセルのサブフレーム１及び３の両方で送信されるマルチサブフレームスケジューリングが行われる。同様にCIF「０１１」、「１０１」及び「１１１」は、PDSCH信号がＳセルのサブフレーム３及び４の両方、１及び４の両方、並びに１及び３及び４の全てでそれぞれ送信されることを示す。
【００４１】
図５の（Ｂ）は、PDSCH信号の送信サブフレームをＰセルのサブフレーム６で送信されるCIFで指定するための割当情報を示す。CIF「０００」はPDSCH信号がＰセルのサブフレーム６で送信されることを示し、CIF「１００」は、PDSCH信号がＳセルのサブフレーム６で送信されることを示す。CIF「０１０」及び「００１」は、PDSCH信号がＳセルのサブフレーム８及び９でそれぞれ送信されることを示す。また、CIF「１１０」、「０１１」、「１０１」及び「１１１」は、PDSCH信号がＳセルのサブフレーム６及び８の両方、８及び９の両方、６及び９の両方、並びに６及び８及び９の全てでそれぞれ送信されることを示す。
【００４２】
上記例では、サブフレーム３及び４のPDSCH信号をスケジューリングするPDCCH信号と、サブフレーム８及び９のPDSCH信号をスケジューリングするPDCCH信号の送信を、サブフレーム１及び６でそれぞれ分担する。この場合、サブフレーム１、３及び４が、PDSCH信号の送信サブフレームとしてサブフレーム１のPDCCH信号により指定される。これらサブフレーム１、３及び４からいずれかのサブフレームを選ぶ組合せは１、３、４、１及び３の両方、３及び４の両方、１及び４の両方、並びに１及び３及び４の全てである。これらの組合せは、図５の（Ａ）に示すCIFによって全て識別することができる。サブフレーム６で送信されるCIFについても、同様にサブフレーム６、８及び９からいずれかのサブフレームを選ぶ全ての組合せを識別することができる。
【００４３】
図４を参照する。割当情報生成部３０は、移動局３に割り当てられたセルのUL-DL構成に応じて割当情報を生成すると、スケジューラ１０、L1/L2制御情報生成部１１、MAC制御情報生成部１３に割当情報を出力する。他の実施例では、割当情報生成部３０は、MAC制御情報生成部１３に代えて又はMAC制御情報生成部１３に加えて、RRC制御情報生成部１４に出力してもよい。
【００４４】
MAC制御情報生成部１３が割当情報を受信した場合に、MAC制御情報生成部１３は、割当情報をMAC-CE制御情報として共有チャネル生成部１６に出力する。この場合に割当情報は、MAC-CE制御情報として移動局３に送信される。RRC制御情報生成部１４が割当情報を受信した場合に、RRC制御情報生成部１４は、割当情報をRRC制御情報として共有チャネル生成部１６に出力する。この場合に割当情報は、RRC制御情報として移動局３に送信される。
【００４５】
スケジューラ１０は、PDSCH信号に対する無線リソースの割り当てを行う際に、割当情報によってCIFのいずれかの値に割り当てられたサブフレーム又はその組合せの中から、PDSCH信号に割り当てるサブフレームとセルを選択する。L1/L2制御情報生成部１１は、スケジューラ１０が選択したサブフレーム及びセルに応じてCIFを生成し、ダウンリンク制御情報として移動局３に送信する。
【００４６】
図７を参照して移動局３の機能構成の一例を説明する。移動局３は、無線処理部４０と、分離部４１と、制御チャネル処理部４２と、共有チャネル処理部４３と、分離部４４と、割当情報記憶部４５と、ユーザデータ処理部４６を備える。移動局３は、ユーザデータ生成部５０と、共有チャネル生成部５１と、多重部５２と、無線処理部５３を備える。
【００４７】
無線処理部４０は、基地局２から送信された無線信号を受信する。無線処理部４０は、受信した無線帯域の無線信号をベースバンド帯域の受信信号に変換する。分離部４１は、受信信号から、制御チャネルと共有チャネルを分離する。制御チャネルにはPDCCH上で送信されたL1/L2制御情報が含まれる。共有チャネルには、PDSCH上で送信されたMAC-CE制御情報やRRC制御情報やユーザデータが含まれる。
【００４８】
分離部４１は、ダウンリンク信号を制御チャネル処理部４２及び共有チャネル処理部４３へ出力する。制御チャネル処理部４２は、ダウンリンク信号からPDCCH信号を検出してPDCCH信号から各種制御情報を抽出する。例えば、制御チャネル処理部４２は、PDSCHの無線リソース割当情報、及び上り共有チャネルPUSCH(physical uplink shared channel)の無線リソース割当情報を抽出する。また制御チャネル処理部４２は、L1/L2制御情報として送信されたCIFやHARQプロセス番号を抽出する。さらに制御チャネル処理部４２は、移動局３から送信されるアップリングデータの長さを指定するサイズ情報を抽出する。制御チャネル処理部４２は、下り共有チャネルPDSCHの無線リソース割当情報及びCIFを共有チャネル処理部４３に出力する。制御チャネル処理部４２は、PUSCHの無線リソース割当情報を共有チャネル生成部５１に出力する。制御チャネル処理部４２は、サイズ情報をユーザデータ生成部５０へ出力する。
【００４９】
共有チャネル処理部４３は、PDSCHの無線リソース割当情報及びCIFに基づいて、ダウンリンクリンク信号からPDSCHを検出する。共有チャネル処理部４３は、PDSCH信号からデータ信号、MAC-CE制御情報及びRRC制御情報を抽出する。共有チャネル処理部４３は、データ信号、MAC-CE制御情報及びRRC制御情報を分離部４４へ出力する。
【００５０】
分離部４４は、データ信号をユーザデータ処理部４６に出力する。割当情報がMAC-CE制御情報として基地局２から与えられる場合に、分離部４４は、MAC-CE制御情報から得られる割当情報を割当情報記憶部４５に格納する。割当情報がRRC制御情報として基地局２から与えられる場合に、分離部４４は、RRC制御情報から得られる割当情報を割当情報記憶部４５に格納する。共有チャネル処理部４３は、PDSCH信号を検出する際、割当情報記憶部４５に記憶された割当情報と制御チャネル処理部４２から受信したCIFに基づいて、PDSCH信号が送信されたサブフレームを特定する。共有チャネル処理部４３は、特定したサブフレームからPDSCH信号を検出する。
【００５１】
ユーザデータ処理部４６は、分離部４４から受信したユーザデータに対してアプリケーションレイヤなどの上位レイヤの処理を行う。共有チャネル生成部５１は、ユーザデータ生成部５０がサイズ情報に応じて生成したユーザデータを符号化及び変調することによりPDSCH信号を生成し、多重部５２へ出力する。
【００５２】
多重部５２は、共有チャネル生成部５１の出力とアップリンク制御情報や参照信号などを多重化する。多重部５２は、多重化した多重化情報に対して高速フーリエ変換処理を施して得られる周波数信号を、所定の周波数にマッピングする。多重部５２は、所定の周波数にマッピングされた多重化信号に逆高速フーリエ変換処理を施して時間領域の多重化信号を生成する。多重部５２は、時間領域の多重化信号を無線処理部５３に出力する。無線処理部５３は、ベースバンド帯域の多重化信号を無線帯域の無線信号に変換して基地局２へ送信する。
【００５３】
＜１．３．動作説明＞
続いて、上記の基地局２及び移動局３の動作について説明する。図８は、基地局２の動作の一例の説明図である。オペレーションＡＡにおいて基地局と移動局の間でコネクションの確立を行う。オペレーションＡＢにおいて割当情報生成部３０は、移動局３が使用するセルの周波数バンドのUL-DL構成に基づいて割当情報を生成する。オペレーションＡＣにおいてMAC制御情報生成部１３は、割当情報を含んだMAC-CE制御情報を生成し、共有チャネル生成部１６、多重部１７及び無線処理部１８を経由して移動局３に送信する。
【００５４】
オペレーションＡＤにおいてスケジューラ１０は、PDSCH信号を送信する無線リソースを決定する。このとき、スケジューラ１０は、移動局３が使用するセルの周波数バンドのUL-DL構成と割当情報に基づいて、PDSCH信号を送信するサブフレームとセルを決定する。オペレーションＡＥにおいてL1/L2制御情報生成部１１は、スケジューラ１０が決定したサブフレームとセルに応じてCIFを生成する。オペレーションＡＦにおいてL1/L2制御情報生成部１１は、制御チャネル生成部１２、多重部１７及び無線処理部１８を経由して移動局３にCIFを送信する。オペレーションＡＧにおいて共有チャネル生成部１６は、スケジューラ１０により割り当てられた無線リソースで送信されるPDSCH信号を生成し、多重部１７及び無線処理部１８を経由して移動局３へ送信する。オペレーションＡＨにおいてコネクションを解放するかどうか判定し、解放しない場合はオペレーションＡＤに戻り、スケジューリングを行う。解放する場合にはオペレーションＡＩに進み、コネクションを解放する。
【００５５】
図９は、移動局３の動作の一例の説明図である。オペレーションＢＡにおいて基地局と移動局の間でコネクションの確立を行う。オペレーションＢＢにおいて共有チャネル処理部４３は、PDSCH信号からMAC-CE制御信号を取得し、分離部４４は、MAC-CE制御情報から得られる割当情報を割当情報記憶部４５に格納する。オペレーションＢＣにおいて、制御チャネル処理部４２は、PDCCH信号からPDSCHの無線リソース割当情報及びCIFを抽出し、共有チャネル処理部４３に出力する。オペレーションＢＤにおいて共有チャネル処理部４３は、PDSCHの無線リソース割当情報及びCIFと、割当情報記憶部４５に格納された割当情報に基づいて、ダウンリンクリンク信号からPDSCHを検出する。オペレーションＢＥにおいてコネクションを解放するかどうか判定し、解放しない場合はオペレーションＢＣに戻り、制御チャネルの検出を行う。解放する場合にはオペレーションＢＦに進み、コネクションを解放する。なお、図８及び図９を参照して説明した上記動作において、MAC-CE制御信号に代えて又はMAC-CE制御信号に加えて、割当情報をRRC制御信号に含めて送信してもよい。
【００５６】
＜１．４．割当情報の設定例＞
以下、割当情報のいくつかの設定例について説明する。図１０は、スケジューリングセル及びスケジュールドセルのUL-DL構成の説明図である。図１０の例は、ＰセルのUL-DL構成が「０」であり、ＳセルのUL-DL構成が「５」であると想定する。Ｐセルにおいてサブフレーム３、４、７、８及び９がアップリンクに割り当てられ、Ｓセルにおいてサブフレーム３、４、７、８及び９がダウンリンクに割り当てられる。サブフレーム３及び／又は４で送信されるPDSCH信号をスケジューリングするPDCCH信号はスペシャルサブフレーム１で送信される。また、サブフレーム７、８及び９のいずれかで送信されるPDSCH信号をスケジューリングするPDCCH信号はスペシャルサブフレーム６で送信される。
【００５７】
図１１は、図１０のUL-DL構成において使用される割当情報の設定例の説明図である。図１１は、PDSCH信号の送信サブフレームをＰセルのサブフレーム６で送信されるPDCCH信号で指定するための割当情報を示す。PDSCH信号の送信サブフレームをＰセルのサブフレーム１で送信する例は、例えば図５の（Ａ）の設定例と同様であってよい。
【００５８】
CIF「０００」はPDSCH信号がＰセルのサブフレーム６で送信されることを示し、CIF「１００」、「０１０」及び「００１」は、PDSCH信号がＳセルのサブフレーム６、７及び８でそれぞれ送信されることを示す。また、CIF「１１０」、「０１１」、「１０１」及び「１１１」は、PDSCH信号がＳセルのサブフレーム６及び７及び８の全て、７及び８及び９の全て、９、並びに６及び７及び８及び９の全てでそれぞれ送信されることを示す。
【００５９】
サブフレーム６、７、８及び９からいずれかのサブフレームを選ぶ組合せは図１２に示す１４通りである。本実施例では、１４通りの組合せのうち、１個のサブフレーム又は連続する３個又は４個のサブフレームでPDSCHを送信する組合せに制限した。このように、PDSCHを送信するサブフレームの組合せパターンを制限することにより、サブフレーム情報とCIを結合符号化して生成されるCIFのビット数の増加を制限することができる。
【００６０】
図１３は、図１０のUL-DL構成において使用される割当情報の他の設定例の説明図である。CIF「０００」はPDSCH信号がＰセルのサブフレーム６で送信されることを示し、CIF「１００」、「０１０」及び「００１」は、PDSCH信号がＳセルのサブフレーム６、８並びに、６及び７の両方でそれぞれ送信されることを示す。また、CIF「１１０」、「０１１」、「１０１」及び「１１１」は、PDSCH信号がＳセルのサブフレーム８及び９の両方、６及び７及び８の全て、７及び８及び９の全て、６及び７及び８及び９の全てでそれぞれ送信されることを示す。
【００６１】
本設定例では、Ｓセルの１個のサブフレームを指定するCIFは各々「１００」及び「０１０」でその数は２個である。同様にＳセルの２個及び３個のサブフレームを指定するCIFは各々２個である。Ｓセルの４個のサブフレームを指定するCIFは１個である。本実施例では、Ｓセルの４個のサブフレーム６、７、８及び９から、１個、２個、３個及び４個のサブフレームを指定するCIFのビットパターンの数の差が、最小の２−１＝１個になる。
【００６２】
このように、様々な個数のサブフレームの組合せを均等に選択してCIFを割り当てることにより、ユーザに連続して割り当てるサブフレーム数のバリエーションを増やすことができる。この結果、できるだけ多数のユーザに少しずつ無線リソースを割り当てる一方で、あるユーザには一度に多くの無線リソースを割り当ててスループットを最大化させるという２つの要望を両立することが可能となる。
【００６３】
図１４は、図１０のUL-DL構成において使用される割当情報の他の設定例の説明図である。CIF「０００」はPDSCH信号がＰセルのサブフレーム６で送信されることを示し、CIF「１００」、「０１０」及び「００１」は、PDSCH信号がＳセルのサブフレーム６、７及び８でそれぞれ送信されることを示す。また、CIF「１１０」、「０１１」、「１０１」及び「１１１」は、PDSCH信号がＳセルのサブフレーム６及び７の両方、７及び８の両方、８及び９の両方、並びに９でそれぞれ送信されることを示す。
【００６４】
本設定例では、全CIFのビットパターンに割り当てられるサブフレームののべ数は１＋１＋１＋１＋２＋２＋２＋１＝１１個である。一方で、図１３の設定例のビットパターンに割り当てられるサブフレームののべ数は１＋１＋１＋２＋２＋３＋３＋４＝１７個である。このように本実施例では、Ｓセルの１〜４個の各個数のサブフレームを指定するCIFのビットパターン数の差が最小である図１３の割当情報よりも、全ビットパターンに割り当てられるサブフレームののべ数が少ない。
【００６５】
このように、比較的少ない個数のサブフレームの組合せを優先してCIFのビットパターンを割り当てることにより、できるだけ多数のユーザに少しずつ無線リソースを割り当てることが可能となる。
【００６６】
図１５は、図１０のUL-DL構成において使用される割当情報の他の設定例の説明図である。CIF「０００」はPDSCH信号がＰセルのサブフレーム６で送信されることを示し、CIF「１００」及び「０１０」は、PDSCH信号がＳセルのサブフレーム６及び７及び８及び９の全て、並びに６及び７及び８の全てでそれぞれ送信されることを示す。CIF「００１」、「１１０」、「０１１」、「１０１」及び「１１１」は、PDSCH信号がＳセルのサブフレーム７及び８及び９の全て、６及び７及び９の全て、６及び８及び９の全て、６及び７の両方、並びに８及び９の両方でそれぞれ送信されることを示す。
【００６７】
本設定例では、全CIFのビットパターンに割り当てられるサブフレームののべ数は１＋４＋３＋３＋３＋３＋２＋２＝２１個である。一方で、図１３の設定例のビットパターンに割り当てられるサブフレームののべ数は１７個である。このように本実施例では、Ｓセルの１〜４個の各個数のサブフレームを指定するCIFのビットパターン数の差が最小である図１３の割当情報よりも、全ビットパターンに割り当てられるサブフレームののべ数が多い。
【００６８】
このように、比較的多い個数のサブフレームの組合せを優先してCIFのビットパターンを割り当てることにより、ある対象のユーザに一度に多くの無線リソースを割り当ててスループットを最大化させることが可能となる。
【００６９】
続いて、他の割当情報の設定例を説明する。移動局３が３個以上のCCを並列に送受信している場合にも、サブフレーム情報を他のダウンリンク制御情報に結合符号化することができる。図１６は、移動局３が４つのセルで並列に送受信している場合のUL-DL構成の一例を示す。図１６の例では、スケジューリングセルはＰセルであり、スケジュールドセルはＳセル１〜Ｓセル３である。またＰセルとＳセル１は同じ周波数バンド内のCCであり、そのUL-DL構成が「０」である。またＳセル２とＳセル３は同じ周波数バンド内のCCであり、そのUL-DL構成が「５」である。Ｐセル及びＳセル１の周波数バンドと、Ｓセル２とＳセル３の周波数バンドは異なる。参照符号６０〜６３は、それぞれＰセル、Ｓセル１〜Ｓセル３のUL-DL構成を示す。図２２においても参照符号の用法は同じである。
【００７０】
いま、Ｐセルのスペシャルサブフレーム６で送信されるPDCCHに注目すると、Ｓセル１のサブフレーム６で送信されるPDSCH信号をスケジューリングするPDCCH信号はＰセルのスペシャルサブフレーム６で送信される。また、Ｓセル２及び３のサブフレーム７〜９で送信されるPDSCH信号をスケジューリングするPDCCH信号はＰセルのスペシャルサブフレーム６で送信される。
【００７１】
図１７は、図１６のUL-DL構成において使用される割当情報の設定例の説明図である。CIF「０００」はPDSCH信号がＰセルのサブフレーム６で送信されることを示す。CIF「１００」、「０１０」及び「００１」は、PDSCH信号がＳセル２のサブフレーム６及び７及び８及び９の全て、６及び７及び８の全て、並びに７及び８及び９の全てでそれぞれ送信されることを示す。また、CIF「１１０」は、PDSCH信号がＳセル１のサブフレーム６で送信されることを示す。CIF「０１１」、「１０１」及び「１１１」は、PDSCH信号がＳセル３のサブフレーム６及び７及び８及び９の全て、６及び７及び８の全て、並びに７及び８及び９の全てでそれぞれ送信されることを示す。なお、Ｐセルのスペシャルサブフレーム１で送信されるCIFのための割当情報は、図１７の設定例とは別個に設定してよい。
【００７２】
スケジューリングセルであるＰセルと同じ周波数バンドで、すなわちＰセル及びＳセル１でPDSCH信号を送信する場合には、UL-DL構成が同じであるから、同じサブフレームでPDCCH信号とPDSCH信号を送信できるため、クロスサブフレームスケジューリング等を行わなくてもよい。このため、Ｐセルと同じ周波数バンドでPDSCH信号を送信する場合には、CIFはスケジュールドセルの指定に使用すれば足りる。したがって図１７のように、スケジューリングセルとスケジュールドセルが同じ周波数バンド内のセルである場合には、複数のCIFのビットパターンを割り当てなくてもよい。このようにサブフレーム情報をCIに結合符号化すると、スケジューリングセルとスケジュールドセルが同じ周波数バンド内のセルである場合のサブフレームの指定を省略することができ、CIFのビットパターンの消費量を節約することができる。
【００７３】
他の実施例では、スケジューリングセルとスケジュールドセルが同じ周波数バンド内のセルである場合には、CCのみを指定してもよい。この場合、同じサブフレームでPDCCH信号とPDSCH信号を送信する。
【００７４】
続いて、他の割当情報の設定例を説明する。本実施例では、PDSCHを送信する連続サブフレーム数を１個に制限する。すなわち、マルチサブフレームスケジューリングを行わない。図１８は、図１０のUL-DL構成において使用される割当情報の他の設定例の説明図である。
【００７５】
Ｐセルのサブフレーム１で送信されるPDCCH信号でPDSCH信号の送信サブフレームを指定する場合、CIF「０００」はPDSCH信号がＰセルのサブフレーム１で送信されることを示す。CIF「１００」、「００１」及び「０１０」は、PDSCH信号がＳセルのサブフレーム１、３及び４でそれぞれ送信されることを示す。また、CIF「０１０」、「０１１」、「１０１」及び「１１１」は使用されない。
【００７６】
Ｐセルのサブフレーム６で送信されるPDCCH信号でPDSCH信号の送信サブフレームを指定する場合、CIF「０００」はPDSCH信号がＰセルのサブフレーム６で送信されることを示す。CIF「１００」、「０１０」、「００１」及び「１１０」は、PDSCH信号がＳセルのサブフレーム６、７、８及び９でそれぞれ送信されることを示す。CIF「０１１」、「１０１」及び「１１１」は使用されない。
【００７７】
本設定例の様にマルチサブフレームスケジューリングを行わない場合には、サブフレーム情報の結合符号化によるCIFのビットパターンの消費が低減される。
【００７８】
なお、上述の割当情報の設定の例示は、本明細書で記載される通信装置で使用する割当情報を例示された設定のみに限定することを意図するものではない。UL-DL構成に応じて様々な割当情報の設定を使用することが可能であるし、同様のUL-DL構成であっても異なる割当情報の設定を使用することが可能である。以下の第２実施例及び第３実施例においても同様である。
【００７９】
＜１．５．効果＞
本実施例によれば、ビットパターンが全て使い切られていないダウンリンク制御情報にサブフレーム情報を結合符号化する。これにより、スケジューリングセルとスケジュールドセルが異なる場合におけるクロスサブフレームスケジューリング等のためのダウンリンク制御情報の増加が軽減される。
【００８０】
また、サブフレーム情報とCIとを結合符号化することにより、スケジューリングセルとスケジュールドセルが同じ周波数バンド内のセルである場合のサブフレームの指定を省略することができ、CIFのビットパターンの消費量を節約することができる。
【００８１】
＜１．６．変形例＞
基地局２は、１個のトランスポートブロック全体を１個のサブフレームだけで送信してよい。この場合に、L1/L2制御情報生成部１１は、同じサブフレームにそれぞれ格納される複数のトランスポートブロックに対して、共通のリソースブロックを割り当て及び／又は同じ変調符号化方式を適用してもよい。一方でL1/L2制御情報生成部１１は、トランスポートブロック毎に再送処理が可能になるように、トランスポートブロック毎にHARQプロセス番号、新規データ・インジケータ(New Data Indicator)及び冗長バージョン(Redundancy Version)のうち少なくとも１つを指定してよい。
【００８２】
基地局２は、１個のトランスポートブロックを複数のサブフレームに亘って送信してもよい。この場合にはL1/L2制御情報生成部１１は、１個のトランスポートブロックが送信される複数のサブフレームに対して、共通のリソースブロックを割り当て及び／又は共通の変調符号化方式を適用してもよい。また、L1/L2制御情報生成部１１は、１個のトランスポートブロックに対して、１個のHARQプロセス番号、新規データ・インジケータ及び冗長バージョンを指定してよい。
【００８３】
また、本明細書に記載される通信装置は、スケジューリングセルとスケジュールドセルが異なる周波数バンドに属する場合だけでなく、同じ周波数バンドのスケジューリングセルとスケジュールドセルに異なるUL-DL構成が用いられる場合にも利用可能である。また、本明細書に記載される通信装置は、スケジューリングセルとスケジュールドセルが同じUL-DL構成を用いる場合にも動作可能である。また、アップリンクのデータをスケジューリングする場合にも、上記のダウンリンクのデータをスケジューリングする例と同様に、PUSCHにサブフレームを割り当てる情報を、ダウンリンク制御情報に結合符号化してもよい。
【００８４】
＜２．第２実施例＞
続いて、サブフレーム情報をダウンリンク制御情報に結合符号化する第２の実施例について説明する。第１実施例では、PDSCH信号をスケジューリングするPDCCH信号が、スケジューリングセルでダウンリンク送信ができ且つPDSCH信号が送信されるサブフレームの前の最近のサブフレームだけで送信される。この場合は、クロスサブフレームスケジューリング等を行うサブフレームがスペシャルサブフレームに集中する。このため、アグリゲーションされるCCやクロスサブフレームスケジューリングされるサブフレーム数が増加すると、スペシャルサブフレームだけで指定できるCCとサブフレームの組合せの制限が大きくなる。
【００８５】
そこで本実施例では、クロスサブフレームスケジューリング等に使用するPDCCH信号を次の２種類のサブフレームの両方で送信する。
（１）スケジューリングセルでダウンリンク送信ができ、且つPDSCH信号が送信されるサブフレームの前の最近のサブフレーム。
（２）スケジューリングセルでダウンリンク送信ができ、且つ（１）のサブフレームより前の最近のサブフレーム。
例えば（１）のサブフレームの例は、スペシャルサブフレーム１及び６である。（２）のサブフレームの例は、ダウンリンクに割り当てられるサブフレーム０及び５である。これらのサブフレームは、スケジューラ１０によって選択される。
【００８６】
このように、クロスサブフレームスケジューリング等に使用するサブフレームを増やすことで、少ないサブフレームが集中的にクロスサブフレームスケジューリング等に使用されるのを軽減することができる。この結果、アグリゲーションされるCCやクロスサブフレームスケジューリングされるサブフレーム数が多くても、CCとサブフレームの組合せの制限が少なくなる。なお、以下の第３実施例においても上記（１）及び（２）のサブフレームの両方をクロスサブフレームスケジューリング等に使用してもよい。
【００８７】
以下、スケジューリングセルとUL-DL構成が異なるスケジュールドセルの３個以上のサブフレームが、スケジューリングセルの１個のサブフレームでスケジューリングされる場合の割当情報の設定例を検討する。１個のサブフレームがスケジューリングするサブフレーム数が２個の場合、このスケジューリングを他のサブフレームに分散させても、今度は他のサブフレームが２個のサブフレームをスケジューリングことになり、分散する効果があまりないからである。検討対象となるUL-DL構成の組合せを図１９に示す。
【００８８】
（１）スケジューリングセルのUL-DL構成が「０」でありスケジュールドセルのUL-DL構成が「２」〜「５」である場合。
（２）スケジューリングセルのUL-DL構成が「１」でありスケジュールドセルのUL-DL構成が「３」〜「５」である場合。
（３）スケジューリングセルのUL-DL構成が「３」でありスケジュールドセルのUL-DL構成が「２」又は「５」である場合。
（４）また、スケジューリングセルのUL-DL構成が「６」でありスケジュールドセルのUL-DL構成が「２」〜「５」である場合。
【００８９】
まず、スケジューリングセルとスケジュールドセルがそれぞれ１つずつであり、スケジューリングセルであるＰセルのUL-DL構成が「０」であり、スケジュールドセルであるＳセルのUL-DL構成が「２」である場合を想定する。図２０にUL-DL構成を示す。
【００９０】
スペシャルサブフレーム１及び６のみでクロスサブフレームスケジューリング等を行う場合には、サブフレーム１及６はＳセルの３個のサブフレームのPDSCH信号をスケジューリングする。例えば、サブフレーム１は、サブフレーム１、３及び４のPDSCH信号をスケジューリングする。また、例えば、サブフレーム６は、サブフレーム６、８及び９のPDSCH信号をスケジューリングする。
【００９１】
そこで、Ｐセルのスペシャルサブフレーム１及び６より前の最近のダウンリンクサブフレーム０及び５でも、それぞれＳセルのサブフレーム１及び６のPDSCH信号のクロスサブフレームスケジューリング等を行う。このようなサブフレームでクロスサブフレームスケジューリング等を行うことで、１個当たりのサブフレームがスケジューリングを行うＳセルのサブフレームの最大数が３個から２個に低減される。
【００９２】
図２１は、図２０のUL-DL構成において使用される割当情報の他の設定例の説明図である。Ｐセルのサブフレーム０で送信されるPDCCH信号でPDSCH信号の送信サブフレームを指定する場合、CIF「０００」はPDSCH信号がＰセルのサブフレーム０で送信されることを示す。CIF「００１」、「０１０」及び「０１１」は、PDSCH信号がＳセルのサブフレーム０、１並びに０及び１の両方でそれぞれ送信されることを示す。
【００９３】
Ｐセルのサブフレーム１で送信されるPDCCH信号でPDSCH信号の送信サブフレームを指定する場合、CIF「０００」はPDSCH信号がＰセルのサブフレーム１で送信されることを示す。CIF「００１」、「０１０」及び「０１１」は、PDSCH信号がＳセルのサブフレーム３、４並びに３及び４の両方でそれぞれ送信されることを示す。
【００９４】
Ｐセルのサブフレーム５で送信されるPDCCH信号でPDSCH信号の送信サブフレームを指定する場合、CIF「０００」はPDSCH信号がＰセルのサブフレーム５で送信されることを示す。CIF「００１」、「０１０」及び「０１１」は、PDSCH信号がＳセルのサブフレーム５、６並びに５及び６の両方でそれぞれ送信されることを示す。
【００９５】
Ｐセルのサブフレーム６で送信されるPDCCH信号でPDSCH信号の送信サブフレームを指定する場合、CIF「０００」はPDSCH信号がＰセルのサブフレーム６で送信されることを示す。CIF「００１」、「０１０」及び「０１１」は、PDSCH信号がＳセルのサブフレーム８、９並びに８及び９の両方でそれぞれ送信されることを示す。なお、CIF「１００」、「１０１」、「１１０」及び「１１１」は使用されない。
【００９６】
例えば、Ｐセルのサブフレーム０でPDSCH信号を送信する場合には、サブフレーム０で送信されるCIFの値を「０００」に指定すればよい。Ｓセルのサブフレーム０でPDSCH信号を送信する場合には、サブフレーム０で送信されるCIFの値を「００１」に指定すればよい。Ｓセルのサブフレーム１でPDSCH信号を送信する場合には、サブフレーム０で送信されるCIFの値を「０１０」に指定すればよい。
【００９７】
Ｐセルのサブフレーム１でPDSCH信号を送信する場合には、サブフレーム１で送信されるCIFの値を「０００」に指定すればよい。Ｓセルのサブフレーム３でPDSCH信号を送信する場合には、サブフレーム１で送信されるCIFの値を「００１」に指定すればよい。Ｓセルのサブフレーム４でPDSCH信号を送信する場合には、サブフレーム１で送信されるCIFの値を「０１０」に指定すればよい。
【００９８】
Ｓセルのサブフレーム０及び１の両方でPDSCH信号を送信する場合には、サブフレーム０で送信されるCIFの値を「０１１」に指定すればよい。Ｓセルのサブフレーム８及び９の両方でPDSCH信号を送信する場合には、サブフレーム６で送信されるCIFの値を「０１１」に指定すればよい。
【００９９】
CCと前半のサブフレーム０〜４の上記以外の組合せでPDSCH信号を送信する場合も、サブフレーム０及び１で送信されるCIFの値を適宜組み合わせることにより、全てのCC及びサブフレームの組合せの候補を指定することができる。例えば、Ｓセルのサブフレーム０及び３及び４でPDSCH信号を送信する場合には、サブフレーム０で送信されるCIFの値を「０００」に指定しサブフレーム１で送信されるCIFの値を「０１１」に指定すればよい。
【０１００】
後半のサブフレーム５〜９に関しても同様に、サブフレーム５及び６で送信されるCIFの値を組み合わせて、全てのCC及びサブフレームの組合せの候補を指定することができる。
【０１０１】
以上により、図２０のような構成であれば、PDSCH信号を送信するCC及びサブフレームの組合せの候補を全て指定するには４つのCIFビットパターンで足りることが分かる。
【０１０２】
次に検討されるUL-DL構成を図２２に示す。移動局３が４つのセルで並列に送受信する。図２２の例では、スケジューリングセルはＰセルであり、スケジュールドセルはＳセル１〜Ｓセル３である。またＰセルとＳセル１は同じ周波数バンド内のCCであり、そのUL-DL構成が「０」である。またＳセル２とＳセル３は同じ周波数バンド内のCCであり、そのUL-DL構成が「２」である。Ｐセル及びＳセル１の周波数バンドと、Ｓセル２とＳセル３の周波数バンドは異なる。
【０１０３】
Ｐセルのダウンリンクサブフレーム０が、Ｓセル２及び３のサブフレーム０及び１のPDSCH信号をスケジューリングする。Ｐセルのスペシャルサブフレーム１が、Ｓセル２及び３のサブフレーム３及び４のPDSCH信号をスケジューリングする。Ｐセルのダウンリンクサブフレーム５が、Ｓセル２及び３のサブフレーム５及び６のPDSCH信号をスケジューリングする。Ｐセルのスペシャルサブフレーム６が、Ｓセル２及び３のサブフレーム８及び９のPDSCH信号をスケジューリングする。
【０１０４】
また、Ｐセルのサブフレーム０、１、５及び６は、Ｐセル自身のサブフレーム０、１、５及び６のPDSCH信号をそれぞれスケジューリングする。また、Ｐセルのサブフレーム０、１、５及び６は、Ｓセル１のサブフレーム０、１、５及び６のPDSCH信号をそれぞれスケジューリングする。
【０１０５】
図２３は、図２２のUL-DL構成において使用される割当情報の設定例の説明図である。Ｐセルのサブフレーム０で送信されるPDCCH信号でPDSCH信号の送信サブフレームを指定する場合、CIF「０００」はPDSCH信号がＰセルのサブフレーム０で送信されることを示す。CIF「００１」は、PDSCH信号がＳセル１のサブフレーム０で送信されることを示す。
CIF「０１０」、「０１１」及び「１００」は、PDSCH信号がＳセル２のサブフレーム０、１並びに０及び１の両方でそれぞれ送信されることを示す。CIF「１０１」、「１１０」及び「１１１」は、PDSCH信号がＳセル３のサブフレーム０、１並びに０及び１の両方でそれぞれ送信されることを示す。
【０１０６】
Ｐセルのサブフレーム１で送信されるPDCCH信号でPDSCH信号の送信サブフレームを指定する場合、CIF「０００」はPDSCH信号がＰセルのサブフレーム１で送信されることを示す。CIF「００１」は、PDSCH信号がＳセル１のサブフレーム１で送信されることを示す。
CIF「０１０」、「０１１」及び「１００」は、PDSCH信号がＳセル２のサブフレーム３、４並びに３及び４の両方でそれぞれ送信されることを示す。CIF「１０１」、「１１０」及び「１１１」は、PDSCH信号がＳセル３のサブフレーム３、４並びに３及び４の両方でそれぞれ送信されることを示す。
【０１０７】
Ｐセルのサブフレーム５で送信されるPDCCH信号でPDSCH信号の送信サブフレームを指定する場合、CIF「０００」はPDSCH信号がＰセルのサブフレーム５で送信されることを示す。CIF「００１」は、PDSCH信号がＳセル１のサブフレーム５で送信されることを示す。
CIF「０１０」、「０１１」及び「１００」は、PDSCH信号がＳセル２のサブフレーム５、６並びに５及び６の両方でそれぞれ送信されることを示す。CIF「１０１」、「１１０」及び「１１１」は、PDSCH信号がＳセル３のサブフレーム５、６並びに５及び６の両方でそれぞれ送信されることを示す。
【０１０８】
Ｐセルのサブフレーム６で送信されるPDCCH信号でPDSCH信号の送信サブフレームを指定する場合、CIF「０００」はPDSCH信号がＰセルのサブフレーム６で送信されることを示す。CIF「００１」は、PDSCH信号がＳセル１のサブフレーム６で送信されることを示す。
CIF「０１０」、「０１１」及び「１００」は、PDSCH信号がＳセル２のサブフレーム８、９並びに８及び９の両方でそれぞれ送信されることを示す。CIF「１０１」、「１１０」及び「１１１」は、PDSCH信号がＳセル３のサブフレーム８、９並びに８及び９の両方でそれぞれ送信されることを示す。
【０１０９】
例えば、Ｐセルのサブフレーム０でPDSCH信号を送信する場合には、Ｐセルのサブフレーム０で送信されるCIFの値を「０００」に指定すればよい。Ｓセル１のサブフレーム０でPDSCH信号を送信する場合には、サブフレーム０で送信されるCIFの値を「００１」に指定すればよい。Ｓセル２のサブフレーム０でPDSCH信号を送信する場合には、サブフレーム０で送信されるCIFの値を「０１０」に指定すればよい。Ｓセル２のサブフレーム１でPDSCH信号を送信する場合には、サブフレーム０で送信されるCIFの値を「０１１」に指定すればよい。Ｓセル３のサブフレーム０でPDSCH信号を送信する場合には、サブフレーム０で送信されるCIFの値をそれぞれ「１０１」に指定すればよい。Ｓセル３のサブフレーム１でPDSCH信号を送信する場合には、サブフレーム０で送信されるCIFの値を「１１０」に指定すればよい。
【０１１０】
また、Ｐセルのサブフレーム１でPDSCH信号を送信する場合には、Ｐセルのサブフレーム１で送信されるCIFの値を「０００」に指定すればよい。Ｓセル１のサブフレーム１でPDSCH信号を送信する場合には、サブフレーム１で送信されるCIFの値を「００１」に指定すればよい。Ｓセル２のサブフレーム３でPDSCH信号を送信する場合には、サブフレーム１で送信されるCIFの値を「０１０」に指定すればよい。Ｓセル２のサブフレーム４でPDSCH信号を送信する場合には、サブフレーム１で送信されるCIFの値を「０１１」に指定すればよい。Ｓセル３のサブフレーム３でPDSCH信号を送信する場合には、サブフレーム１で送信されるCIFの値をそれぞれ「１０１」に指定すればよい。Ｓセル３のサブフレーム４でPDSCH信号を送信する場合には、サブフレーム１で送信されるCIFの値を「１１０」に指定すればよい。
【０１１１】
Ｓセル２のサブフレーム０及び１の両方でPDSCH信号を送信する場合には、サブフレーム０で送信されるCIFの値を「１００」に指定すればよい。Ｓセル２のサブフレーム３及び４の両方でPDSCH信号を送信する場合には、サブフレーム１で送信されるCIFの値を「１００」に指定すればよい。Ｓセル３のサブフレーム０及び１の両方でPDSCH信号を送信する場合には、サブフレーム０で送信されるCIFの値を「１１１」に指定すればよい。Ｓセル３のサブフレーム３及び４の両方でPDSCH信号を送信する場合には、サブフレーム１で送信されるCIFの値を「１１１」に指定すればよい。
【０１１２】
CCと前半のサブフレーム０〜４の上記以外の組合せでPDSCH信号を送信する場合も、サブフレーム０及び１で送信されるCIFの値を適宜組み合わせることにより、全てのCC及びサブフレームの組合せの候補を指定することができる。例えば、Ｓセル２のサブフレーム０及び３及び４でPDSCH信号を送信する場合には、サブフレーム０で送信されるCIFの値を「０１０」に指定し、サブフレーム１で送信されるCIFの値を「１００」に指定すればよい。
【０１１３】
後半のサブフレーム５〜９に関しても同様に、Ｐセルのサブフレーム５及び６で送信されるCIFの値を組み合わせて、全てのCC及びサブフレームの組合せの候補を指定することができる。
【０１１４】
図２４の（Ａ）は、スケジューリングセルとスケジュールドセルがそれぞれ１つずつであり、スケジューリングセルであるＰセルのUL-DL構成が「０」であり、スケジュールドセルであるＳセルのUL-DL構成が「３」である場合を示す。
【０１１５】
Ｐセルのダウンリンクサブフレーム０が、Ｓセルのサブフレーム０のPDSCH信号をスケジューリングする。Ｐセルのスペシャルサブフレーム１が、Ｓセルのサブフレーム１及び５のPDSCH信号をスケジューリングする。Ｐセルのダウンリンクサブフレーム５が、Ｓセルのサブフレーム６及び７のPDSCH信号をスケジューリングする。Ｐセルのスペシャルサブフレーム６が、Ｓセルのサブフレーム８及び９のPDSCH信号をスケジューリングする。
【０１１６】
図２４の（Ａ）の例では、図２０の例と同様に、Ｐセルと異なるUL-DL構成の１個のＳセルのみがスケジュールドセルであり、Ｐセルの１個当たりのサブフレームがスケジューリングを行うＳセルのサブフレーム数が最大２個である。したがって図２０のUL-DL構成と同様に４つのCIFビットパターンでPDSCH信号を送信するCC及びサブフレームの組合せの候補を全て指定できる。
【０１１７】
図２４の（Ｂ）は、スケジューリングセルとスケジュールドセルがそれぞれ１つずつであり、スケジューリングセルであるＰセルのUL-DL構成が「０」であり、スケジュールドセルであるＳセルのUL-DL構成が「４」である場合を示す。
【０１１８】
Ｐセルのダウンリンクサブフレーム０が、Ｓセルのサブフレーム０及び１のPDSCH信号をスケジューリングする。Ｐセルのスペシャルサブフレーム１が、Ｓセルのサブフレーム４及び５のPDSCH信号をスケジューリングする。Ｐセルのダウンリンクサブフレーム５が、Ｓセルのサブフレーム６及び７のPDSCH信号をスケジューリングする。Ｐセルのスペシャルサブフレーム６が、Ｓセルのサブフレーム８及び９のPDSCH信号をスケジューリングする。
【０１１９】
図２４の（Ｂ）の例では、図２０の例と同様に、Ｐセルと異なるUL-DL構成の１個のＳセルのみがスケジュールドセルであり、Ｐセルの１個当たりのサブフレームがスケジューリングを行うＳセルのサブフレーム数が最大２個である。したがって図２０のUL-DL構成と同様に４つのCIFビットパターンでPDSCH信号を送信するCC及びサブフレームの組合せの候補を全て指定できる。
【０１２０】
図２５は、スケジューリングセルとスケジュールドセルがそれぞれ１つずつであり、スケジューリングセルであるＰセルのUL-DL構成が「０」であり、スケジュールドセルであるＳセルのUL-DL構成が「５」である場合を示す。
【０１２１】
Ｐセルのダウンリンクサブフレーム０が、Ｓセルのサブフレーム０及び１のPDSCH信号をスケジューリングする。Ｐセルのスペシャルサブフレーム１が、Ｓセルのサブフレーム３及び４のPDSCH信号をスケジューリングする。Ｐセルのダウンリンクサブフレーム５が、Ｓセルのサブフレーム５及び６のPDSCH信号をスケジューリングする。Ｐセルのスペシャルサブフレーム６が、Ｓセルのサブフレーム７、８及び９のPDSCH信号をスケジューリングする。
【０１２２】
図２６は、図２５のUL-DL構成において使用される割当情報の他の設定例の説明図である。Ｐセルのサブフレーム０で送信されるPDCCH信号でPDSCH信号の送信サブフレームを指定する場合、CIF「０００」はPDSCH信号がＰセルのサブフレーム０で送信されることを示す。CIF「００１」及び「０１０」は、PDSCH信号がＳセルのサブフレーム０及び１でそれぞれ送信されることを示す。CIF「０１１」は、PDSCH信号がＳセルのサブフレーム０及び１の両方で送信されることを示す。CIF「１００」、「１０１」、「１１０」及び「１１１」は未使用である。
【０１２３】
Ｐセルのサブフレーム１で送信されるPDCCH信号でPDSCH信号の送信サブフレームを指定する場合、CIF「０００」はPDSCH信号がＰセルのサブフレーム１で送信されることを示す。CIF「００１」及び「０１０」は、PDSCH信号がＳセルのサブフレーム３及び４でそれぞれ送信されることを示す。CIF「０１１」は、PDSCH信号がＳセルのサブフレーム３及び４の両方で送信されることを示す。CIF「１００」、「１０１」、「１１０」及び「１１１」は未使用である。
【０１２４】
Ｐセルのサブフレーム５で送信されるPDCCH信号でPDSCH信号の送信サブフレームを指定する場合、CIF「０００」はPDSCH信号がＰセルのサブフレーム５で送信されることを示す。CIF「００１」及び「０１０」は、PDSCH信号がＳセルのサブフレーム５及び６でそれぞれ送信されることを示す。CIF「０１１」は、PDSCH信号がＳセルのサブフレーム５及び６の両方で送信されることを示す。CIF「１００」、「１０１」、「１１０」及び「１１１」は未使用である。
【０１２５】
Ｐセルのサブフレーム６で送信されるPDCCH信号でPDSCH信号の送信サブフレームを指定する場合、CIF「０００」はPDSCH信号がＰセルのサブフレーム６で送信されることを示す。CIF「００１」、「０１０」、「０１１」は、PDSCH信号がＳセルのサブフレーム７、８及び９でそれぞれ送信されることを示す。CIF「１００」、「１０１」及び「１１０」は、PDSCH信号がＳセルのサブフレーム７及び８の両方、８及び９の両方、並びに７及び９の両方で送信されることを示す。CIF「１１１」は、PDSCH信号がＳセルのサブフレーム７、８及び９の全てで送信されることを示す。
【０１２６】
前半のサブフレーム０〜４のUL-DL構成は、図２０のUL-DL構成と同様である。したがって、図２０のUL-DL構成と同様に４つのCIFビットパターンでPDSCH信号を送信するCC及びサブフレームの組合せの候補を全て指定できる。
【０１２７】
Ｐセルのサブフレーム５でPDSCH信号を送信する場合には、Ｐセルのサブフレーム５で送信されるCIFの値を「０００」に指定すればよい。Ｐセルのサブフレーム６でPDSCH信号を送信する場合には、サブフレーム６で送信されるCIFの値を「０００」に指定すればよい。Ｓセルのサブフレーム５及び６でPDSCH信号を送信する場合には、サブフレーム５で送信されるCIFの値をそれぞれ「００１」及び「０１０」に指定すればよい。Ｓセルのサブフレーム７、８及び９でPDSCH信号を送信する場合には、サブフレーム６で送信されるCIFの値をそれぞれ「００１」、「０１０」及び「０１１」に指定すればよい。
【０１２８】
Ｓセルのサブフレーム５及び６の両方でPDSCH信号を送信する場合には、サブフレーム５で送信されるCIFの値を「０１１」に指定すればよい。Ｓセルのサブフレーム７及び８の両方、８及び９の両方並びに７及び９の両方でPDSCH信号を送信する場合には、サブフレーム６で送信されるCIFの値をそれぞれ「１００」、「１０１」及び「１１０」に指定すればよい。Ｓセルのサブフレーム７及び８及び９の全てでPDSCH信号を送信する場合には、サブフレーム６で送信されるCIFの値を「１１１」に指定すればよい。
【０１２９】
CC及び後半のサブフレーム５〜９の上記以外の組合せでPDSCH信号を送信する場合も、サブフレーム５及び６で送信されるCIFの値を適宜組み合わせることにより、全てのCC及びサブフレームの組合せの候補を指定することができる。例えば、Ｓセルのサブフレーム５及び６及び７及び９の全てでPDSCH信号を送信する場合には、サブフレーム５で送信されるCIFの値を「０１１」に指定し、サブフレーム６で送信されるCIFの値を「１１０」に指定すればよい。
【０１３０】
このように図２５のUL-DL構成であっても、ダウンリンクサブフレーム０及び５とスペシャルサブフレーム１及び６でスケジューリングを行うことにより、３ビットのCIFでPDSCH信号を送信するCC及びサブフレームの組合せの候補を全て指定できる。
【０１３１】
図２７の（Ａ）は、スケジューリングセルとスケジュールドセルがそれぞれ１つずつであり、スケジューリングセルであるＰセルのUL-DL構成が「１」であり、スケジュールドセルであるＳセルのUL-DL構成が「３」である場合を示す。
【０１３２】
Ｐセルのダウンリンクサブフレーム０が、Ｓセルのサブフレーム０のPDSCH信号をスケジューリングする。Ｐセルのスペシャルサブフレーム１が、Ｓセルのサブフレーム１のPDSCH信号をスケジューリングする。Ｐセルのダウンリンクサブフレーム５が、Ｓセルのサブフレーム５及び６の両方のPDSCH信号をスケジューリングする。Ｐセルのスペシャルサブフレーム６が、Ｓセルのサブフレーム７及び８の両方のPDSCH信号をスケジューリングする。またＰセルのダウンリンクサブフレーム９が、Ｓセルのサブフレーム９のPDSCH信号をスケジューリングする。
【０１３３】
図２７の（Ａ）の例では、図２０の例と同様に、Ｐセルと異なるUL-DL構成の１個のＳセルのみがスケジュールドセルであり、Ｐセルの１個当たりのサブフレームがスケジューリングを行うＳセルのサブフレーム数が最大２個である。したがって図２０のUL-DL構成と同様に４つのCIFビットパターンでPDSCH信号を送信するCC及びサブフレームの組合せの候補を全て指定できる。
【０１３４】
図２７の（Ｂ）は、スケジューリングセルとスケジュールドセルがそれぞれ１つずつであり、スケジューリングセルであるＰセルのUL-DL構成が「１」であり、スケジュールドセルであるＳセルのUL-DL構成が「４」である場合を示す。
【０１３５】
Ｐセルのダウンリンクサブフレーム０が、Ｓセルのサブフレーム０のPDSCH信号をスケジューリングする。Ｐセルのスペシャルサブフレーム１が、Ｓセルのサブフレーム１のPDSCH信号をスケジューリングする。Ｐセルのダウンリンクサブフレーム４及び９が、Ｓセルのサブフレーム４及び９のPDSCH信号をそれぞれスケジューリングする。Ｐセルのダウンリンクサブフレーム５が、Ｓセルのサブフレーム５及び６の両方のPDSCH信号をスケジューリングする。Ｐセルのスペシャルサブフレーム６が、Ｓセルのサブフレーム７及び８の両方のPDSCH信号をスケジューリングする。
【０１３６】
図２７の（Ｂ）の例では、図２０の例と同様に、Ｐセルと異なるUL-DL構成の１個のＳセルのみがスケジュールドセルであり、Ｐセルの１個当たりのサブフレームがスケジューリングを行うＳセルのサブフレーム数が最大２個である。したがって図２０のUL-DL構成と同様に４つのCIFビットパターンでPDSCH信号を送信するCC及びサブフレームの組合せの候補を全て指定できる。
【０１３７】
図２８の（Ａ）は、スケジューリングセルとスケジュールドセルがそれぞれ１つずつであり、スケジューリングセルであるＰセルのUL-DL構成が「１」であり、スケジュールドセルであるＳセルのUL-DL構成が「５」である場合を示す。
【０１３８】
Ｐセルのダウンリンクサブフレーム０が、Ｓセルのサブフレーム０のPDSCH信号をスケジューリングする。Ｐセルのスペシャルサブフレーム１が、Ｓセルのサブフレーム１及び３の両方のPDSCH信号をスケジューリングする。Ｐセルのダウンリンクサブフレーム４及び９が、Ｓセルのサブフレーム４及び９のPDSCH信号をそれぞれスケジューリングする。Ｐセルのダウンリンクサブフレーム５が、Ｓセルのサブフレーム５及び６の両方のPDSCH信号をスケジューリングする。Ｐセルのスペシャルサブフレーム６が、Ｓセルのサブフレーム７及び８の両方のPDSCH信号をスケジューリングする。
【０１３９】
図２８の（Ａ）の例では、図２０の例と同様に、Ｐセルと異なるUL-DL構成の１個のＳセルのみがスケジュールドセルであり、Ｐセルの１個当たりのサブフレームがスケジューリングを行うＳセルのサブフレーム数が最大２個である。したがって図２０のUL-DL構成と同様に４つのCIFビットパターンでPDSCH信号を送信するCC及びサブフレームの組合せの候補を全て指定できる。
【０１４０】
図２８の（Ｂ）は、スケジューリングセルとスケジュールドセルがそれぞれ１つずつであり、スケジューリングセルであるＰセルのUL-DL構成が「３」であり、スケジュールドセルであるＳセルのUL-DL構成が「２」である場合を示す。
【０１４１】
Ｐセルのダウンリンクサブフレーム０が、Ｓセルのサブフレーム０及び１の両方のPDSCH信号をスケジューリングする。Ｐセルのスペシャルサブフレーム１が、Ｓセルのサブフレーム３及び４の両方のPDSCH信号をスケジューリングする。Ｐセルのダウンリンクサブフレーム５、６、８及び９が、Ｓセルのサブフレーム５、６、８及び９のPDSCH信号をそれぞれスケジューリングする。
【０１４２】
図２８の（Ｂ）の例では、図２０の例と同様に、Ｐセルと異なるUL-DL構成の１個のＳセルのみがスケジュールドセルであり、Ｐセルの１個当たりのサブフレームがスケジューリングを行うＳセルのサブフレーム数が最大２個である。したがって図２０のUL-DL構成と同様に４つのCIFビットパターンでPDSCH信号を送信するCC及びサブフレームの組合せの候補を全て指定できる。
【０１４３】
図２９の（Ａ）は、スケジューリングセルとスケジュールドセルがそれぞれ１つずつであり、スケジューリングセルであるＰセルのUL-DL構成が「３」であり、スケジュールドセルであるＳセルのUL-DL構成が「５」である場合を示す。
【０１４４】
Ｐセルのダウンリンクサブフレーム０が、Ｓセルのサブフレーム０及び１の両方のPDSCH信号をスケジューリングする。Ｐセルのスペシャルサブフレーム１が、Ｓセルのサブフレーム３及び４の両方のPDSCH信号をスケジューリングする。Ｐセルのダウンリンクサブフレーム５〜９が、Ｓセルのサブフレーム５〜９のPDSCH信号をそれぞれスケジューリングする。
【０１４５】
図２９の（Ａ）の例では、図２０の例と同様に、Ｐセルと異なるUL-DL構成の１個のＳセルのみがスケジュールドセルであり、Ｐセルの１個当たりのサブフレームがスケジューリングを行うＳセルのサブフレーム数が最大２個である。したがって図２０のUL-DL構成と同様に４つのCIFビットパターンでPDSCH信号を送信するCC及びサブフレームの組合せの候補を全て指定できる。
【０１４６】
図２９の（Ｂ）は、スケジューリングセルとスケジュールドセルがそれぞれ１つずつであり、スケジューリングセルであるＰセルのUL-DL構成が「６」であり、スケジュールドセルであるＳセルのUL-DL構成が「２」である場合を示す。
【０１４７】
Ｐセルのダウンリンクサブフレーム０が、Ｓセルのサブフレーム０及び１の両方のPDSCH信号をスケジューリングする。Ｐセルのスペシャルサブフレーム１が、Ｓセルのサブフレーム３及び４の両方のPDSCH信号をスケジューリングする。Ｐセルのダウンリンクサブフレーム５及び９が、Ｓセルのサブフレーム５及び９のPDSCH信号をそれぞれスケジューリングする。Ｐセルのスペシャルサブフレーム６が、Ｓセルのサブフレーム６及び７の両方のPDSCH信号をスケジューリングする。
【０１４８】
図２９の（Ｂ）の例では、図２０の例と同様に、Ｐセルと異なるUL-DL構成の１個のＳセルのみがスケジュールドセルであり、Ｐセルの１個当たりのサブフレームがスケジューリングを行うＳセルのサブフレーム数が最大２個である。したがって図２０のUL-DL構成と同様に４つのCIFビットパターンでPDSCH信号を送信するCC及びサブフレームの組合せの候補を全て指定できる。
【０１４９】
図３０の（Ａ）は、スケジューリングセルとスケジュールドセルがそれぞれ１つずつであり、スケジューリングセルであるＰセルのUL-DL構成が「６」であり、スケジュールドセルであるＳセルのUL-DL構成が「３」である場合を示す。
【０１５０】
Ｐセルのダウンリンクサブフレーム０が、Ｓセルのサブフレーム０のPDSCH信号をスケジューリングする。Ｐセルのスペシャルサブフレーム１が、Ｓセルのサブフレーム１のPDSCH信号をスケジューリングする。Ｐセルのダウンリンクサブフレーム５がＳセルのサブフレーム５及び６の両方のPDSCH信号をスケジューリングする。Ｐセルのスペシャルサブフレーム６が、Ｓセルのサブフレーム７及び８の両方のPDSCH信号をスケジューリングする。Ｐセルのダウンリンクサブフレーム９がＳセルのサブフレーム９のPDSCH信号をスケジューリングする。
【０１５１】
図３０の（Ａ）の例では、図２０の例と同様に、Ｐセルと異なるUL-DL構成の１個のＳセルのみがスケジュールドセルであり、Ｐセルの１個当たりのサブフレームがスケジューリングを行うＳセルのサブフレーム数が最大２個である。したがって図２０のUL-DL構成と同様に４つのCIFビットパターンでPDSCH信号を送信するCC及びサブフレームの組合せの候補を全て指定できる。
【０１５２】
図３０の（Ｂ）は、スケジューリングセルとスケジュールドセルがそれぞれ１つずつであり、スケジューリングセルであるＰセルのUL-DL構成が「６」であり、スケジュールドセルであるＳセルのUL-DL構成が「４」である場合を示す。
【０１５３】
Ｐセルのダウンリンクサブフレーム０が、Ｓセルのサブフレーム０のPDSCH信号をスケジューリングする。Ｐセルのスペシャルサブフレーム１が、Ｓセルのサブフレーム１及び４の両方のPDSCH信号をスケジューリングする。Ｐセルのダウンリンクサブフレーム５がＳセルのサブフレーム５及び６の両方のPDSCH信号をスケジューリングする。Ｐセルのスペシャルサブフレーム６が、Ｓセルのサブフレーム７及び８の両方のPDSCH信号をスケジューリングする。Ｐセルのダウンリンクサブフレーム９がＳセルのサブフレーム９のPDSCH信号をスケジューリングする。
【０１５４】
図３０の（Ｂ）の例では、図２０の例と同様に、Ｐセルと異なるUL-DL構成の１個のＳセルのみがスケジュールドセルであり、Ｐセルの１個当たりのサブフレームがスケジューリングを行うＳセルのサブフレーム数が最大２個である。したがって図２０のUL-DL構成と同様に４つのCIFビットパターンでPDSCH信号を送信するCC及びサブフレームの組合せの候補を全て指定できる。
【０１５５】
図３１は、スケジューリングセルとスケジュールドセルがそれぞれ１つずつであり、スケジューリングセルであるＰセルのUL-DL構成が「６」であり、スケジュールドセルであるＳセルのUL-DL構成が「５」である場合を示す。
【０１５６】
Ｐセルのダウンリンクサブフレーム０が、Ｓセルのサブフレーム０及び１の両方のPDSCH信号をスケジューリングする。Ｐセルのスペシャルサブフレーム１が、Ｓセルのサブフレーム３及び４の両方のPDSCH信号をスケジューリングする。Ｐセルのダウンリンクサブフレーム５がＳセルのサブフレーム５及び６の両方のPDSCH信号をスケジューリングする。Ｐセルのスペシャルサブフレーム６が、Ｓセルのサブフレーム７及び８の両方のPDSCH信号をそれぞれスケジューリングする。Ｐセルのダウンリンクサブフレーム９がＳセルのサブフレーム９のPDSCH信号をスケジューリングする。
【０１５７】
図３１の例では、図２０の例と同様に、Ｐセルと異なるUL-DL構成の１個のＳセルのみがスケジュールドセルであり、Ｐセルの１個当たりのサブフレームがスケジューリングを行うＳセルのサブフレーム数が最大２個である。したがって図２０のUL-DL構成と同様に４つのCIFビットパターンでPDSCH信号を送信するCC及びサブフレームの組合せの候補を全て指定できる。
【０１５８】
このように本実施例によれば、クロスサブフレームスケジューリング等に使用するサブフレーム数を増やすことで、少ないサブフレームが集中的にクロスサブフレームスケジューリング等に使用されるのを軽減することができる。この結果、アグリゲーションされるCCやクロスサブフレームスケジューリング等されるサブフレーム数が多くても、CCとサブフレームの組合せの制限が少なくなる。
【０１５９】
＜３．第３実施例＞
続いて、サブフレーム情報をダウンリンク制御情報に結合符号化する第３の実施例について説明する。本実施例では、ダウンリンクにおけるHARQにおけるプロセスを指定するHARQプロセス番号とサブフレーム情報とを結合する。例えば、LTE-AdvancedにおいてTDD方式で動作する場合に、HARQプロセス番号を指定するHARQプロセス番号フィールドには４ビットが割り当てられ、１６個のビットパターンを取り得る。
【０１６０】
HARQプロセス数の最大数はUL-DL構成によって異なり、図３２のように指定される。例えばスケジュールドセルのUL-DL構成が「３」の場合にはHARQプロセス数の最大数は９となり、１６個のビットパターンが使い切られない。このため、HARQプロセス番号フィールドの余りのビットパターンを使用してサブフレーム情報をPDCCH信号で通知することができる。以下の説明においてHARQプロセス番号フィールドを省略して「HARQフィールド」と表記する。
【０１６１】
＜３．１．スケジュールドセルのUL-DL構成が「０」の場合＞
以下、それぞれのスケジュールドセルのUL-DL構成において、HARQフィールドの値に対して、PDSCH信号が送信されるサブフレーム番号の割り当てる割当情報の例を検討する。図２に示す通り、スケジュールドセルのUL-DL構成が「０」の場合には、ダウンリンク送信が可能なサブフレームは０、１、５及び６のみである。スケジューリングセルのUL-DL構成がどのUL-DL構成であっても、サブフレームは０、１、５及び６でダウンリンク送信が可能であるため、PDCCH信号とPDSCH信号を同一サブフレームで送信することができる。このため、クロスサブフレームスケジューリング等の必要はない。
【０１６２】
＜３．２．スケジュールドセルのUL-DL構成が「１」の場合＞
UL-DL構成が「１」の場合には、HARQプロセス数の最大数は「７」である。また、スケジューリングセルのUL-DL構成が「０」の場合に、サブフレーム４及び９がスケジュールドセルでダウンリンクに割り当てられスケジューリングセルでアップリンクが割り当てられる。スケジューリングセルのUL-DL構成が「３」又は「６」の場合に、サブフレーム４がスケジュールドセルでダウンリンクに割り当てられスケジューリングセルでアップリンクが割り当てられる。このためスケジューリングセルのUL-DL構成が「０」、「３」又は「６」の場合に、クロスサブフレームスケジューリング等を行う。
【０１６３】
図３３は、スケジュールドセル及びスケジューリングセルのUL-DL構成がそれぞれ「０」及び「１」である場合の割当情報の一例の説明図である。HARQフィールド「００００」〜「０１１０」は、HARQプロセス番号がそれぞれ「０」〜「６」であることを示す。スケジューリングセルのサブフレーム１で送信されるPDCCH信号でPDSCH信号の送信サブフレームを指定する場合、HARQフィールド「００００」〜「０１１０」は、PDSCH信号がスケジュールドセルのサブフレーム１で送信されることを示す。スケジューリングセルのサブフレーム６で送信されるPDCCH信号でPDSCH信号の送信サブフレームを指定する場合、HARQフィールド「００００」〜「０１１０」は、PDSCH信号がスケジュールドセルのサブフレーム６で送信されることを示す。
【０１６４】
HARQフィールド「０１１１」〜「１１０１」は、HARQプロセス番号がそれぞれ「０」〜「６」であることを示す。スケジューリングセルのサブフレーム１で送信されるPDCCH信号でPDSCH信号の送信サブフレームを指定する場合、HARQフィールド「０１１１」〜「１１０１」は、PDSCH信号がスケジュールドセルのサブフレーム４で送信されることを示す。スケジューリングセルのサブフレーム６で送信されるPDCCH信号でPDSCH信号の送信サブフレームを指定する場合、HARQフィールド「０１１１」〜「１１０１」は、PDSCH信号がスケジュールドセルのサブフレーム９で送信されることを示す。
【０１６５】
HARQフィールド「１１１０」及び「１１１１」は、HARQプロセス番号がそれぞれ「０」及び「１」であることを示す。スケジューリングセルのサブフレーム１で送信されるPDCCH信号でPDSCH信号の送信サブフレームを指定する場合、HARQフィールド「１１１０」及び「１１１１」は、PDSCH信号がスケジュールドセルのサブフレーム１及び４の両方で送信されることを示す。スケジューリングセルのサブフレーム６で送信されるPDCCH信号でPDSCH信号の送信サブフレームを指定する場合、HARQフィールド「１１１０」及び「１１１１」は、PDSCH信号がスケジュールドセルのサブフレーム６及び９の両方で送信されることを示す。
【０１６６】
以上のように、組合せ可能なHARQプロセス番号及びサブフレームは一部制限されるが、サブフレーム情報をHARQプロセス番号に結合符号化してPDCCH信号で送信することが可能である。
【０１６７】
＜３．３．スケジュールドセルのUL-DL構成が「２」の場合＞
UL-DL構成が「２」の場合には、HARQプロセス数の最大数は「１０」である。また、スケジューリングセルのUL-DL構成が「０」の場合に、サブフレーム３、４、８及び９がスケジュールドセルでダウンリンクに割り当てられスケジューリングセルでアップリンクが割り当てられる。スケジューリングセルのUL-DL構成が「１」の場合に、サブフレーム３及び８がスケジュールドセルでダウンリンクに割り当てられスケジューリングセルでアップリンクが割り当てられる。
【０１６８】
スケジューリングセルのUL-DL構成が「３」の場合に、サブフレーム３及び４がスケジュールドセルでダウンリンクに割り当てられスケジューリングセルでアップリンクが割り当てられる。スケジューリングセルのUL-DL構成が「４」の場合に、サブフレーム３がスケジュールドセルでダウンリンクに割り当てられスケジューリングセルでアップリンクが割り当てられる。スケジューリングセルのUL-DL構成が「６」の場合に、サブフレーム３、４及び８がスケジュールドセルでダウンリンクに割り当てられスケジューリングセルでアップリンクが割り当てられる。このためスケジューリングセルのUL-DL構成が「０」、「１」、「３」、「４」又は「６」の場合に、クロスサブフレームスケジューリング等を行う。
【０１６９】
図３４は、スケジューリングセルのUL-DL構成が「０」、「１」及び「６」のいずれの場合でも使用できる割当情報の一例の説明図である。HARQフィールド「００００」〜「１００１」は、HARQプロセス番号がそれぞれ「０」〜「９」であることを示す。スケジューリングセルのサブフレーム１で送信されるPDCCH信号でPDSCH信号の送信サブフレームを指定する場合、HARQフィールド「００００」〜「１００１」は、PDSCH信号がスケジュールドセルのサブフレーム１で送信されることを示す。スケジューリングセルのサブフレーム６で送信されるPDCCH信号でPDSCH信号の送信サブフレームを指定する場合、HARQフィールド「００００」〜「１００１」は、PDSCH信号がスケジュールドセルのサブフレーム６で送信されることを示す。
【０１７０】
HARQフィールド「１０１０」〜「１１１１」は、HARQプロセス番号がそれぞれ「０」〜「５」であることを示す。スケジューリングセルのサブフレーム１で送信されるPDCCH信号でPDSCH信号の送信サブフレームを指定する場合、HARQフィールド「１０１０」〜「１１１１」は、PDSCH信号がスケジュールドセルのサブフレーム３で送信されることを示す。スケジューリングセルのサブフレーム６で送信されるPDCCH信号でPDSCH信号の送信サブフレームを指定する場合、HARQフィールド「１０１０」〜「１１１１」は、PDSCH信号がスケジュールドセルのサブフレーム８で送信されることを示す。他の実施例では、HARQフィールド「１０１０」〜「１１１１」にマルチサブフレームスケジューリングに使用するサブフレームを割り当ててもよい。
【０１７１】
以上のように、一部のHARQプロセス番号に対しては、クロスサブフレームスケジューリング等に使用するサブフレームと結合して符号化することができる。
【０１７２】
＜３．４．スケジュールドセルのUL-DL構成が「３」の場合＞
UL-DL構成が「３」の場合には、HARQプロセス数の最大数は「９」である。また、スケジューリングセルのUL-DL構成が「０」の場合に、サブフレーム７〜９がスケジュールドセルでダウンリンクに割り当てられスケジューリングセルでアップリンクが割り当てられる。スケジューリングセルのUL-DL構成が「１」及び「６」の場合に、サブフレーム７及び８がスケジュールドセルでダウンリンクに割り当てられスケジューリングセルでアップリンクが割り当てられる。スケジューリングセルのUL-DL構成が「２」の場合に、サブフレーム７がスケジュールドセルでダウンリンクに割り当てられスケジューリングセルでアップリンクが割り当てられる。このためスケジューリングセルのUL-DL構成が「０」、「１」、「２」又は「６」の場合に、クロスサブフレームスケジューリング等を行う。
【０１７３】
図３５は、スケジューリングセルのUL-DL構成が「０」、「１」、「２」及び「６」の何れの場合でも使用できる場合の割当情報の一例の説明図である。HARQフィールド「００００」〜「１０００」は、HARQプロセス番号がそれぞれ「０」〜「８」であることを示す。スケジューリングセルのサブフレーム６で送信されるPDCCH信号でPDSCH信号の送信サブフレームを指定する場合、HARQフィールド「００００」〜「１０００」は、PDSCH信号がスケジュールドセルのサブフレーム６で送信されることを示す。
【０１７４】
HARQフィールド「１００１」〜「１１１１」は、HARQプロセス番号がそれぞれ「０」〜「６」であることを示す。スケジューリングセルのサブフレーム６で送信されるPDCCH信号でPDSCH信号の送信サブフレームを指定する場合、HARQフィールド「１００１」〜「１１１１」は、PDSCH信号がスケジュールドセルのサブフレーム７で送信されることを示す。他の実施例では、HARQフィールド「１００１」〜「１１１１」にマルチサブフレームスケジューリングに使用するサブフレームを割り当ててもよい。
【０１７５】
以上のように、一部のHARQプロセス番号に対しては、クロスサブフレームスケジューリング等に使用するサブフレームと結合して符号化することができる。
【０１７６】
＜３．５．スケジュールドセルのUL-DL構成が「４」の場合＞
UL-DL構成が「４」の場合には、HARQプロセス数の最大数は「１２」である。また、スケジューリングセルのUL-DL構成が「０」の場合に、サブフレーム４、７〜９がスケジュールドセルでダウンリンクに割り当てられスケジューリングセルでアップリンクが割り当てられる。スケジューリングセルのUL-DL構成が「１」の場合に、サブフレーム７及び８がスケジュールドセルでダウンリンクに割り当てられスケジューリングセルでアップリンクが割り当てられる。
【０１７７】
スケジューリングセルのUL-DL構成が「２」の場合に、サブフレーム７がスケジュールドセルでダウンリンクに割り当てられスケジューリングセルでアップリンクが割り当てられる。スケジューリングセルのUL-DL構成が「３」の場合に、サブフレーム４がスケジュールドセルでダウンリンクに割り当てられスケジューリングセルでアップリンクが割り当てられる。
【０１７８】
スケジューリングセルのUL-DL構成が「６」の場合に、サブフレーム４、７及び８がスケジュールドセルでダウンリンクに割り当てられスケジューリングセルでアップリンクが割り当てられる。このためスケジューリングセルのUL-DL構成が「０」、「１」、「２」、「３」又は「６」の場合に、クロスサブフレームスケジューリング等を行う。
【０１７９】
図３６は、スケジューリングセルのUL-DL構成が「０」及び「６」のいずれの場合でも使用でできる割当情報の一例の説明図である。HARQフィールド「００００」〜「１０１１」は、HARQプロセス番号がそれぞれ「０」〜「１１」であることを示す。スケジューリングセルのサブフレーム１で送信されるPDCCH信号でPDSCH信号の送信サブフレームを指定する場合、HARQフィールド「００００」〜「１０１１」は、PDSCH信号がスケジュールドセルのサブフレーム１で送信されることを示す。スケジューリングセルのサブフレーム６で送信されるPDCCH信号でPDSCH信号の送信サブフレームを指定する場合、HARQフィールド「００００」〜「１０１１」は、PDSCH信号がスケジュールドセルのサブフレーム６で送信されることを示す。
【０１８０】
HARQフィールド「１１００」〜「１１１１」は、HARQプロセス番号がそれぞれ「０」〜「３」であることを示す。スケジューリングセルのサブフレーム１で送信されるPDCCH信号でPDSCH信号の送信サブフレームを指定する場合、HARQフィールド「１１００」〜「１１１１」は、PDSCH信号がスケジュールドセルのサブフレーム４で送信されることを示す。スケジューリングセルのサブフレーム６で送信されるPDCCH信号でPDSCH信号の送信サブフレームを指定する場合、HARQフィールド「１１００」〜「１１１１」は、PDSCH信号がスケジュールドセルのサブフレーム７で送信されることを示す。他の実施例では、HARQフィールド「１１００」〜「１１１１」にマルチサブフレームスケジューリングに使用するサブフレームを割り当ててもよい。
【０１８１】
以上のように、一部のHARQプロセス番号に対しては、クロスサブフレームスケジューリング等に使用するサブフレームと結合して符号化することができる。
【０１８２】
＜３．６．スケジュールドセルのUL-DL構成が「５」の場合＞
UL-DL構成が「５」の場合には、HARQプロセス数の最大数は「１５」である。また、スケジューリングセルのUL-DL構成が「０」の場合に、サブフレーム３、４、７〜９がスケジュールドセルでダウンリンクに割り当てられスケジューリングセルでアップリンクが割り当てられる。スケジューリングセルのUL-DL構成が「１」の場合に、サブフレーム３、７及び８がスケジュールドセルでダウンリンクに割り当てられスケジューリングセルでアップリンクが割り当てられる。
【０１８３】
スケジューリングセルのUL-DL構成が「２」の場合に、サブフレーム７がスケジュールドセルでダウンリンクに割り当てられスケジューリングセルでアップリンクが割り当てられる。スケジューリングセルのUL-DL構成が「３」の場合に、サブフレーム３及び４がスケジュールドセルでダウンリンクに割り当てられスケジューリングセルでアップリンクが割り当てられる。
【０１８４】
スケジューリングセルのUL-DL構成が「４」の場合に、サブフレーム３がスケジュールドセルでダウンリンクに割り当てられスケジューリングセルでアップリンクが割り当てられる。スケジューリングセルのUL-DL構成が「６」の場合に、サブフレーム３、４、７及び８がスケジュールドセルでダウンリンクに割り当てられスケジューリングセルでアップリンクが割り当てられる。このためスケジューリングセルのUL-DL構成が「０」、「１」、「２」、「３」、「４」又は「６」の場合に、クロスサブフレームスケジューリング等を行う。
【０１８５】
図３７は、スケジューリングセルのUL-DL構成が「０」、「１」及び「６」のいずれの場合でも使用でできる割当情報の一例の説明図である。HARQフィールド「００００」〜「１１１０」は、HARQプロセス番号がそれぞれ「０」〜「１４」であることを示す。スケジューリングセルのサブフレーム１で送信されるPDCCH信号でPDSCH信号の送信サブフレームを指定する場合、HARQフィールド「００００」〜「１１１０」は、PDSCH信号がスケジュールドセルのサブフレーム１で送信されることを示す。スケジューリングセルのサブフレーム６で送信されるPDCCH信号でPDSCH信号の送信サブフレームを指定する場合、HARQフィールド「００００」〜「１１１０」は、PDSCH信号がスケジュールドセルのサブフレーム６で送信されることを示す。
【０１８６】
HARQフィールド「１１１１」は、HARQプロセス番号が「０」であることを示す。スケジューリングセルのサブフレーム１で送信されるPDCCH信号でPDSCH信号の送信サブフレームを指定する場合、HARQフィールド「１１１１」は、PDSCH信号がスケジュールドセルのサブフレーム３で送信されることを示す。スケジューリングセルのサブフレーム６で送信されるPDCCH信号でPDSCH信号の送信サブフレームを指定する場合、HARQフィールド「１１１１」は、PDSCH信号がスケジュールドセルのサブフレーム７で送信されることを示す。他の実施例では、HARQフィールド「１１１１」にマルチサブフレームスケジューリングに使用するサブフレームを割り当ててもよい。
【０１８７】
スケジュールドセルのUL-DL構成が「５」である場合には、１つのHARQプロセス番号に対してのみ、クロスサブフレームスケジューリング等に使用するサブフレームと結合して符号化することができる。
【０１８８】
＜３．７．スケジュールドセルのUL-DL構成が「６」の場合＞
UL-DL構成が「６」の場合には、HARQプロセス数の最大数は「６」である。また、スケジューリングセルのUL-DL構成が「０」の場合に、サブフレーム９がスケジュールドセルでダウンリンクに割り当てられスケジューリングセルでアップリンクが割り当てられる。このためスケジューリングセルのUL-DL構成が「０」の場合に、クロスサブフレームスケジューリング等を行う。
【０１８９】
図３８は、スケジューリングセルのUL-DL構成が「０」の場合の割当情報の一例の説明図である。HARQフィールド「００００」〜「０１０１」は、HARQプロセス番号がそれぞれ「０」〜「５」であることを示す。スケジューリングセルのサブフレーム６で送信されるPDCCH信号でPDSCH信号の送信サブフレームを指定する場合、HARQフィールド「００００」〜「０１０１」は、PDSCH信号がスケジュールドセルのサブフレーム６で送信されることを示す。
【０１９０】
HARQフィールド「０１１０」〜「１０１１」は、HARQプロセス番号がそれぞれ「０」〜「５」であることを示す。スケジューリングセルのサブフレーム６で送信されるPDCCH信号でPDSCH信号の送信サブフレームを指定する場合、HARQフィールド「０１１０」〜「１０１１」は、PDSCH信号がスケジュールドセルのサブフレーム９で送信されることを示す。
【０１９１】
HARQフィールド「１１００」〜「１１１１」は、HARQプロセス番号がそれぞれ「０」〜「３」であることを示す。スケジューリングセルのサブフレーム６で送信されるPDCCH信号でPDSCH信号の送信サブフレームを指定する場合、HARQフィールド「１１００」〜「１１１１」は、PDSCH信号がスケジュールドセルのサブフレーム６及び９の両方で送信されることを示す。
【０１９２】
以上のように、組合せ可能なHARQプロセス番号及びサブフレームは一部制限されるが、サブフレーム情報をHARQプロセス番号に結合符号化してPDCCH信号で送信することが可能である。
＜３．８．効果＞
【０１９３】
本実施例によれば、HARQプロセス番号フィールドのビットパターンを全て使い切っていないHARQプロセス番号にサブフレーム情報を結合符号化する。これにより、HARQプロセス番号フィールドのビットパターンの余りを用いてクロスサブフレームスケジューリング等に使用されるサブフレームを通知することができる。このため、スケジューリングセルとスケジュールドセルが異なる場合におけるクロスサブフレームスケジューリング等のためのダウンリンク制御情報の増加が軽減される。
【０１９４】
＜４．ハードウエア構成＞
最後に、上記の基地局２及び移動局３を実現するハードウエア構成の一例について説明する。図３９は基地局２のハードウエア構成の一例の説明図である。基地局２は、ＣＰＵ（Central Processing Unit）７０と、メモリ７１と、ＬＳＩ（Large Scale Integrated circuit）７２と、無線通信回路７３及び７４を備える。メモリ７１は、コンピュータプログラムやデータを記憶するための、不揮発性メモリや、読み出し専用メモリ（ROM: Read Only Memory）やランダムアクセスメモリ（RAM: Random Access Memory）等を含んでいてよい。ＬＳＩ（Large Scale Integrated circuit）７２は、FPGA（Field Programmable Gate Array）、ASIC（Application Specific Integrated Circuit）やDSP(Digital Signal Processor)等を含んでいてよい。無線通信回路７３は、デジタル・アナログ変換回路や、周波数変換回路などを含んでいてよい。無線通信回路７４は、アナログ・デジタル変換回路や、周波数変換回路などを含んでいてよい。
【０１９５】
図４に示す基地局２の無線処理部１８及び無線処理部２０の上記動作は、例えば、無線通信回路７３及び７４によって実行される。スケジューラ１０と、L1/L2制御情報生成部１１と、制御チャネル生成部１２と、MAC制御信号生成部１３と、RRC制御情報生成部１４と、ユーザデータ生成部１５の上記動作は、ＣＰＵ７０とＬＳＩ７２とが協働することにより実行される。共有チャネル生成部１６と、多重部１７と、分離部２１と、上りデータ処理部２２と、割当情報生成部３０の上記動作は、ＣＰＵ７０とＬＳＩ７２とが協働することにより実行される。
【０１９６】
図４０は移動局３のハードウエア構成の一例の説明図である。移動局３は、ＣＰＵ８０と、メモリ８１と、ＬＳＩ８２と、無線通信回路８３及び８４を備える。メモリ８１は、コンピュータプログラムやデータを記憶するための、不揮発性メモリや、読み出し専用メモリやランダムアクセスメモリを含んでいてよい。ＬＳＩ８２は、FPGA、ASICやDSP等を含んでいてよい。無線通信回路８３は、アナログ・デジタル変換回路や、周波数変換回路などを含んでいてよい。無線通信回路８４は、デジタル・アナログ変換回路や、周波数変換回路などを含んでいてよい。
【０１９７】
図７の無線処理部４０及び無線処理部５３の上記動作は、例えば、無線通信回路８３及び８４によって実行される。分離部４１と、制御チャネル処理部４２と、共有チャネル処理部４３と、分離部４４と、割当情報記憶部４５と、ユーザデータ処理部４６の上記動作は、ＣＰＵ８０とＬＳＩ８２とが協働することにより実行される。ユーザデータ生成部５０と、共有チャネル生成部５１と、多重部５２の上記動作は、ＣＰＵ８０とＬＳＩ８２とが協働することにより実行される。
【０１９８】
なお、図３９及び図４０に示すハードウエア構成は実施例の説明のための例示にすぎない。以上に記載される動作を実行するものであれば、本明細書に記載される基地局２及び移動局３は他のどのようなハードウエア構成を採用してもよい。また、図４及び図７の機能構成図は、本明細書において説明される基地局２及び移動局３の機能に関係する構成を中心に示している。基地局２及び移動局３は、図示の構成要素以外の他の構成要素を含んでいてよい。図８及び図９を参照して説明する一連の動作は複数の手順を含む方法と解釈してもよい。この場合に「オペレーション」を「ステップ」と読み替えてもよい。
【０１９９】
ここに記載されている全ての例及び条件的な用語は、読者が、本発明と技術の進展のために発明者により与えられる概念とを理解する際の助けとなるように、教育的な目的を意図したものであり、具体的に記載されている上記の例及び条件、並びに本発明の優位性及び劣等性を示すことに関する本明細書における例の構成に限定されることなく解釈されるべきものである。本発明の実施例は詳細に説明されているが、本発明の精神及び範囲から外れることなく、様々な変更、置換及び修正をこれに加えることが可能であると解すべきである。
【符号の説明】
【０２００】
１    通信システム
２    基地局装置
３    移動局装置
１０    スケジューラ
１１    L1/L2制御情報生成部
１２    制御チャネル生成部
１３    MAC制御情報生成部
１４    RRC制御情報生成部
１６    共有チャネル生成部
３０    割当情報生成部
【図１】
2014024304.tif 000003
【図２】
2014024304.tif 000004
【図３】
2014024304.tif 000005
【図４】
2014024304.tif 000006
【図５】
2014024304.tif 000007
【図６】
2014024304.tif 000008
【図７】
2014024304.tif 000009
【図８】
2014024304.tif 000010
【図９】
2014024304.tif 000011
【図１０】
2014024304.tif 000012
【図１１】
2014024304.tif 000013
【図１２】
2014024304.tif 000014
【図１３】
2014024304.tif 000015
【図１４】
2014024304.tif 000016
【図１５】
2014024304.tif 000017
【図１６】
2014024304.tif 000018
【図１７】
2014024304.tif 000019
【図１８】
2014024304.tif 000020
【図１９】
2014024304.tif 000021
【図２０】
2014024304.tif 000022
【図２１】
2014024304.tif 000023
【図２２】
2014024304.tif 000024
【図２３】
2014024304.tif 000025
【図２４】
2014024304.tif 000026
【図２５】
2014024304.tif 000027
【図２６】
2014024304.tif 000028
【図２７】
2014024304.tif 000029
【図２８】
2014024304.tif 000030
【図２９】
2014024304.tif 000031
【図３０】
2014024304.tif 000032
【図３１】
2014024304.tif 000033
【図３２】
2014024304.tif 000034
【図３３】
2014024304.tif 000035
【図３４】
2014024304.tif 000036
【図３５】
2014024304.tif 000037
【図３６】
2014024304.tif 000038
【図３７】
2014024304.tif 000039
【図３８】
2014024304.tif 000040
【図３９】
2014024304.tif 000041
【図４０】
2014024304.tif 000042
【手続補正書】
【提出日】平成27年1月20日(2015.1.20)
【手続補正１】
【補正対象書類名】特許請求の範囲
【補正対象項目名】全文
【補正方法】変更
【補正の内容】
【特許請求の範囲】
【請求項１】
通信装置であって、
無線フレームを形成し且つ時分割複信のいずれかの送信方向にそれぞれ割り当てられる複数のサブフレームのうち、前記通信装置としての第１通信装置への信号が第２通信装置から第１搬送波で送信されるサブフレームを、第１通信装置から第２通信装置へ第２搬送波でデータを送信するサブフレームとして選択する選択部と、
前記選択部により選択されたサブフレームの指定情報を第１搬送波で送信される制御信号に結合符号化して得られる符号を生成する結合符号化部と、
前記結合符号化部により生成された前記符号を第１搬送波で第２通信装置へ送信する符号送信部と、
を備えることを特徴とする通信装置。
【請求項２】
前記データを送信するサブフレームより前に第１通信装置から第２通信装置への送信に割り当てられるサブフレームのうち、前記データを送信するサブフレームにより近いサブフレームを優先して、前記符号を送信するサブフレームとして選択する第２選択部を備えることを特徴とする請求項１に記載の通信装置。
【請求項３】
前記複数のサブフレームのそれぞれがいずれかの送信方向に割り当てられているかに基づいて、データが送信されるサブフレームを前記符号に割り当てる割当情報を生成する割当情報生成部を備えることを特徴とする請求項１又は２に記載の通信装置。
【請求項４】
前記割当情報を第２通信装置に送信する割当情報送信部を備えることを特徴とする請求項３に記載の通信装置。
【請求項５】
前記指定情報と結合符号化される前記制御情報は、第１通信装置から第２通信装置へデータが送信される搬送波の指定情報であり、
前記選択部は、複数のサブフレームに対する送信方向の割り当てが第１搬送波と等しいいずれかの搬送波を、データを送信する搬送波として選択し、
前記結合符号化部は、前記いずれかの搬送波でデータを送信する場合にデータの送信サブフレームにより変化しない符号を生成することを特徴とする請求項１〜４のいずれか一項に記載の通信装置。
【請求項６】
第２選択部は、
前記データを送信するサブフレームより前に第１通信装置から第２通信装置への送信に割り当てられるサブフレームのうち、前記データを送信するサブフレームに最も近い第１サブフレームと、
第１サブフレームより前に第１通信装置から第２通信装置への送信に割り当てられるサブフレームのうち第１サブフレームに最も近い第２サブフレームと、
を前記符号を送信するサブフレームとして選択することを特徴とする請求項２に記載の通信装置。
【請求項７】
通信装置であって、
無線フレームを形成し且つ時分割複信のいずれかの送信方向にそれぞれ割り当てられる複数のサブフレームのうち第１通信装置から前記通信装置としての第２通信装置への信号が第１搬送波で送信されるサブフレームにおいて、第２通信装置から第１通信装置への信号が第１搬送波で送信されるいずれかのサブフレームの指定情報と制御情報とを結合符号化して得られる符号を受信する符号受信部と、
前記指定情報で指定されたサブフレームで第１通信装置から第２搬送波で送信されたデータを受信するデータ受信部と、
を備えることを特徴とする通信装置。
【請求項８】
前記指定情報と結合符号化される前記制御情報は、第１通信装置から第２通信装置へデータが送信される搬送波の指定情報であることを特徴とする請求項１〜４及び６〜７のいずれか一項に記載の通信装置。
【請求項９】
前記指定情報と結合符号化される前記制御情報は、第１通信装置から第２通信装置へ送信されるデータの自動再送要求プロセスの識別子であることを特徴とする請求項１〜４及び６〜７のいずれか一項に記載の通信装置。
【請求項１０】
第１通信装置と第２通信装置とを含む通信システムであって、
第１通信装置は、
無線フレームを形成し且つ時分割複信のいずれかの送信方向にそれぞれ割り当てられる複数のサブフレームのうち、第２通信装置から第１通信装置への信号が第１搬送波で送信されるサブフレームを、第１通信装置から第２通信装置へ第２搬送波でデータを送信するサブフレームとして選択する選択部と、
前記選択部により選択されたサブフレームの指定情報を第１搬送波で送信される制御信号に結合符号化して得られる符号を生成する結合符号化部と、
前記結合符号化部により生成された前記符号を第１搬送波で第２通信装置へ送信する符号送信部と、
を備えることを特徴とする通信システム。
【請求項１１】
無線フレームを形成し且つ時分割複信のいずれかの送信方向にそれぞれ割り当てられる複数のサブフレームのうち、第１通信装置への信号が第２通信装置から第１搬送波で送信されるサブフレームを、第１通信装置から第２通信装置へ第２搬送波でデータを送信するサブフレームとして選択し、
選択された前記サブフレームの指定情報を第１搬送波で送信される制御信号に結合符号化して得られる符号を生成し、
前記符号を第１搬送波で第２通信装置へ送信する、
ことを特徴とする通信方法。
【手続補正書】
【提出日】平成28年3月2日(2016.3.2)
【手続補正１】
【補正対象書類名】特許請求の範囲
【補正対象項目名】全文
【補正方法】変更
【補正の内容】
【特許請求の範囲】
【請求項１】
通信装置であって、
無線フレームを形成し且つ時分割複信のいずれかの送信方向にそれぞれ割り当てられる複数のサブフレームのうち、前記通信装置としての第１通信装置への信号が第２通信装置から第１搬送波で送信されるサブフレームを、第１通信装置から第２通信装置へ第２搬送波でデータを送信するサブフレームとして選択する選択部と、
前記選択部により選択されたサブフレームの指定情報と第１搬送波で送信される制御情報とを示す符号であって、前記指定情報および前記制御情報の組合せを表す符号を生成する結合符号化部と、
前記結合符号化部により生成された前記符号を第１搬送波で第２通信装置へ送信する符号送信部と、
を備えることを特徴とする通信装置。
【請求項２】
前記データを送信するサブフレームより前に第１通信装置から第２通信装置への送信に割り当てられるサブフレームのうち、前記データを送信するサブフレームにより近いサブフレームを優先して、前記符号を送信するサブフレームとして選択する第２選択部を備えることを特徴とする請求項１に記載の通信装置。
【請求項３】
前記複数のサブフレームのそれぞれがいずれかの送信方向に割り当てられているかに基づいて、データが送信されるサブフレームを前記符号に割り当てる割当情報を生成する割当情報生成部を備えることを特徴とする請求項１又は２に記載の通信装置。
【請求項４】
前記割当情報を第２通信装置に送信する割当情報送信部を備えることを特徴とする請求項３に記載の通信装置。
【請求項５】
前記指定情報と結合符号化される前記制御情報は、第１通信装置から第２通信装置へデータが送信される搬送波の指定情報であり、
前記選択部は、複数のサブフレームに対する送信方向の割り当てが第１搬送波と等しいいずれかの搬送波を、データを送信する搬送波として選択し、
前記結合符号化部は、前記いずれかの搬送波でデータを送信する場合にデータの送信サブフレームにより変化しない符号を生成することを特徴とする請求項１〜４のいずれか一項に記載の通信装置。
【請求項６】
第２選択部は、
前記データを送信するサブフレームより前に第１通信装置から第２通信装置への送信に割り当てられるサブフレームのうち、前記データを送信するサブフレームに最も近い第１サブフレームと、
第１サブフレームより前に第１通信装置から第２通信装置への送信に割り当てられるサブフレームのうち第１サブフレームに最も近い第２サブフレームと、
を前記符号を送信するサブフレームとして選択することを特徴とする請求項２に記載の通信装置。
【請求項７】
通信装置であって、
無線フレームを形成し且つ時分割複信のいずれかの送信方向にそれぞれ割り当てられる複数のサブフレームのうち第１通信装置から前記通信装置としての第２通信装置への信号が第１搬送波で送信されるサブフレームにおいて、第２通信装置から第１通信装置への信号が第１搬送波で送信されるいずれかのサブフレームの指定情報と制御情報とを示す符号であって、前記指定情報および前記制御情報の組合せを表す符号を受信する符号受信部と、
前記指定情報で指定されたサブフレームで第１通信装置から第２搬送波で送信されたデータを受信するデータ受信部と、
を備えることを特徴とする通信装置。
【請求項８】
前記指定情報と結合符号化される前記制御情報は、第１通信装置から第２通信装置へデータが送信される搬送波の指定情報であることを特徴とする請求項１〜４及び６〜７のいずれか一項に記載の通信装置。
【請求項９】
前記指定情報と結合符号化される前記制御情報は、第１通信装置から第２通信装置へ送信されるデータの自動再送要求プロセスの識別子であることを特徴とする請求項１〜４及び６〜７のいずれか一項に記載の通信装置。
【請求項１０】
第１通信装置と第２通信装置とを含む通信システムであって、
第１通信装置は、
無線フレームを形成し且つ時分割複信のいずれかの送信方向にそれぞれ割り当てられる複数のサブフレームのうち、第２通信装置から第１通信装置への信号が第１搬送波で送信されるサブフレームを、第１通信装置から第２通信装置へ第２搬送波でデータを送信するサブフレームとして選択する選択部と、
前記選択部により選択されたサブフレームの指定情報と第１搬送波で送信される制御情報とを示す符号であって、前記指定情報および前記制御情報の組合せを表す符号を生成する結合符号化部と、
前記結合符号化部により生成された前記符号を第１搬送波で第２通信装置へ送信する符号送信部と、
を備えることを特徴とする通信システム。
【請求項１１】
無線フレームを形成し且つ時分割複信のいずれかの送信方向にそれぞれ割り当てられる複数のサブフレームのうち、第１通信装置への信号が第２通信装置から第１搬送波で送信されるサブフレームを、第１通信装置から第２通信装置へ第２搬送波でデータを送信するサブフレームとして選択し、
選択された前記サブフレームの指定情報と第１搬送波で送信される制御情報とを示す符号であって、前記指定情報および前記制御情報の組合せを表す符号を生成し、
前記符号を第１搬送波で第２通信装置へ送信する、
ことを特徴とする通信方法。
【国際調査報告】
2014024304.tif 000043
2014024304.tif 000044
2014024304.tif 000045